(57)【要約】【課題】被監視者への対応の緊急度合いを判断すること。【解決手段】監視装置１０１は、生体情報測定装置１０２から定期的に送信される被監視者Ｍの生体情報ｖｄを取得する。監視装置１０１は、被監視者Ｍの生体情報ｖｄを欠測した場合、電力測定装置１０３により測定された電子機器Ｅの使用電力情報ｗｄに基づいて、被監視者Ｍの生体情報ｖｄを欠測した際の電子機器Ｅの使用電力量Ｗ１が、被監視者Ｍの生体情報ｖｄを欠測する前の電子機器Ｅの使用電力量Ｗ２から変化しているか否かを判断する。監視装置１０１は、判断した判断結果に応じて異なるアラーム情報ＡＬを出力する。【選択図】図１
2014225166.tif 000002
【特許請求の範囲】
【請求項１】
被監視者の生体情報を測定して定期的に送信する生体情報測定装置と、
前記被監視者の住居に設置された電子機器の使用電力情報を測定する電力測定装置と、
前記被監視者の生体情報を欠測した場合、前記電力測定装置により測定された前記電子機器の使用電力情報に基づいて、前記被監視者の生体情報を欠測した際の前記電子機器の使用電力量が、前記被監視者の生体情報を欠測する前の前記電子機器の使用電力量から変化しているか否かを判断する判断部と、前記判断部によって判断された判断結果に応じて異なるアラーム情報を出力する出力部と、を有する監視装置と、
を含むことを特徴とする監視システム。
【請求項２】
前記監視装置は、
前記被監視者の生体情報の欠測時間または欠測回数が所定時間または所定回数を超えるか否かを判定する第１の判定部を有し、
前記判断部は、
前記第１の判定部によって前記欠測時間または前記欠測回数が前記所定時間または前記所定回数を超えると判定された場合に、前記被監視者の生体情報を欠測した際の前記電子機器の使用電力量が、前記被監視者の生体情報を欠測する前の前記電子機器の使用電力量から変化しているか否かを判断することを特徴とする請求項１に記載の監視システム。
【請求項３】
前記出力部は、
前記電子機器の使用電力量が変化したと判断された場合、前記電子機器の使用電力量が変化していないと判断された場合に比べて緊急度の高いアラーム情報を出力することを特徴とする請求項１または２に記載の監視システム。
【請求項４】
前記判断部は、
前記被監視者の生体情報を欠測した際の前記電子機器の使用電力量が、前記被監視者の生体情報を欠測した時点と同一時間帯の前日の前記電子機器の使用電力量から変化しているか否かを判断することを特徴とする請求項１〜３のいずれか一つに記載の監視システム。
【請求項５】
前記監視装置は、
前記被監視者の生体情報を欠測中に、前記判断部によって前記電子機器の使用電力量が変化したと判断された回数が閾値以上となったか否かを判定する第２の判定部を有し、
前記出力部は、
前記第２の判定部によって判定された判定結果に応じて異なるアラーム情報を出力することを特徴とする請求項１〜４のいずれか一つに記載の監視システム。
【請求項６】
前記出力部は、
前記被監視者の生体情報の欠測後に、前記被監視者の生体情報が取得された場合、前記被監視者の生体情報の取得が再開されたことを示す復帰情報を出力することを特徴とする請求項１〜５のいずれか一つに記載の監視システム。
【請求項７】
前記出力部は、
前記アラーム情報の緊急度に応じた監視者の端末装置に前記アラーム情報を送信することを特徴とする請求項１〜６のいずれか一つに記載の監視システム。
【請求項８】
前記生体情報は、前記被監視者の体温、心拍、血圧のうちの少なくともいずれかの情報であることを特徴とする請求項１〜７のいずれか一つに記載の監視システム。
【請求項９】
被監視者の生体情報を測定する生体情報測定装置から定期的に送信される前記被監視者の生体情報を欠測した場合、前記被監視者の住居に設置された電子機器の使用電力情報を測定する電力測定装置により測定された前記電子機器の使用電力情報に基づいて、前記被監視者の生体情報を欠測した際の前記電子機器の使用電力量が、前記被監視者の生体情報を欠測する前の前記電子機器の使用電力量から変化しているか否かを判断する判断部と、
前記判断部によって判断された判断結果に応じて異なるアラーム情報を出力する出力部と、
を有することを特徴とする監視装置。
【請求項１０】
コンピュータが、
被監視者の生体情報を測定する生体情報測定装置から定期的に送信される前記被監視者の生体情報を欠測した場合、前記被監視者の住居に設置された電子機器の使用電力情報を測定する電力測定装置により測定された前記電子機器の使用電力情報に基づいて、前記被監視者の生体情報を欠測した際の前記電子機器の使用電力量が、前記被監視者の生体情報を欠測する前の前記電子機器の使用電力量から変化しているか否かを判断し、
判断した判断結果に応じて異なるアラーム情報を出力する、
処理を実行することを特徴とする監視方法。
【請求項１１】
コンピュータに、
被監視者の生体情報を測定する生体情報測定装置から定期的に送信される前記被監視者の生体情報を欠測した場合、前記被監視者の住居に設置された電子機器の使用電力情報を測定する電力測定装置により測定された前記電子機器の使用電力情報に基づいて、前記被監視者の生体情報を欠測した際の前記電子機器の使用電力量が、前記被監視者の生体情報を欠測する前の前記電子機器の使用電力量から変化しているか否かを判断し、
判断した判断結果に応じて異なるアラーム情報を出力する、
処理を実行させることを特徴とする監視プログラム。
【発明の詳細な説明】
【技術分野】
【０００１】
本発明は、監視システム、監視装置、監視方法および監視プログラムに関する。
【背景技術】
【０００２】
近年、少子高齢化に伴って、高齢者の介護に要する家族、ホームヘルパー、訪問看護師等の負担が大きくなっている。このため、高齢者が普段の生活を行いながら、家族や行政が、高齢者の状況を把握して、高齢者の異変等を早期に把握できる仕組みが求められている。
【０００３】
関連する先行技術としては、例えば、介護用ロボットが被介護人の外観や音声を情報として取得し、これら被介護人情報が外部装置に送信され、外部装置から供給された介護人入力情報が、モニタ画面、スピーカを経て被介護人に伝達される技術がある。また、固定型通信端末の周囲の環境と固定型通信端末の近辺の人間の活動状況とバイタル情報とをセンシングする技術がある。また、被験者のベッドに設置したエアマットの内部圧力変化に基づき被験者の生体データを測定し、被験者に装着された温度測定部を有するＩＣタグの情報を読み取り、生体データとＩＣタグの温度情報に基づき被験者の状態を監視する技術がある。
【先行技術文献】
【特許文献】
【０００４】
【特許文献１】特開平１０−２３４６８１号公報
【特許文献２】特開２００６−８５３９０号公報
【特許文献３】特開２００７−１３５８６２号公報
【発明の概要】
【発明が解決しようとする課題】
【０００５】
しかしながら、従来技術によれば、高齢者等の被監視者に何らかの異変が起きた際に、被監視者への対応の緊急度合いを判断することが難しいという問題がある。
【０００６】
一つの側面では、本発明は、被監視者への対応の緊急度合いを判断することができる監視システム、監視装置、監視方法および監視プログラムを提供することを目的とする。
【課題を解決するための手段】
【０００７】
本発明の一側面によれば、被監視者の生体情報を測定して定期的に送信する生体情報測定装置と、前記被監視者の住居に設置された電子機器の使用電力情報を測定する電力測定装置と、前記被監視者の生体情報を欠測した場合、前記電力測定装置により測定された前記電子機器の使用電力情報に基づいて、前記被監視者の生体情報を欠測した際の前記電子機器の使用電力量が、前記被監視者の生体情報を欠測する前の前記電子機器の使用電力量から変化しているか否かを判断する判断部と、前記判断部によって判断された判断結果に応じて異なるアラーム情報を出力する出力部と、を有する監視装置と、を含む監視システムが提案される。
【０００８】
また、本発明の一側面によれば、被監視者の生体情報を測定する生体情報測定装置から定期的に送信される前記被監視者の生体情報を欠測した場合、前記被監視者の住居に設置された電子機器の使用電力情報を測定する電力測定装置により測定された前記電子機器の使用電力情報に基づいて、前記被監視者の生体情報を欠測した際の前記電子機器の使用電力量が、前記被監視者の生体情報を欠測する前の前記電子機器の使用電力量から変化しているか否かを判断し、判断した判断結果に応じて異なるアラーム情報を出力する監視装置、監視方法および監視プログラムが提案される。
【発明の効果】
【０００９】
本発明の一態様によれば、被監視者への対応の緊急度合いを判断することができるという効果を奏する。
【図面の簡単な説明】
【００１０】
【図１】図１は、実施の形態１にかかる監視方法の一実施例を示す説明図である。
【図２】図２は、監視システム２００のシステム構成例を示す説明図である。
【図３】図３は、監視装置１０１のハードウェア構成例を示すブロック図である。
【図４】図４は、生体情報測定装置１０２のハードウェア構成例を示すブロック図である。
【図５】図５は、電力測定装置１０３のハードウェア構成例を示すブロック図である。
【図６】図６は、被監視者情報ＤＢ２２０の記憶内容の一例を示す説明図である。
【図７】図７は、生体情報ＤＢ２３０の記憶内容の一例を示す説明図である。
【図８】図８は、使用電力情報ＤＢ２４０の記憶内容の一例を示す説明図である。
【図９】図９は、アラーム通知レベル情報テーブル２５０の記憶内容の一例を示す説明図（その１）である。
【図１０】図１０は、実施の形態１にかかる監視装置１０１の機能的構成例を示すブロック図である。
【図１１】図１１は、監視画面の画面例を示す説明図である。
【図１２】図１２は、緊急度低のアラーム情報ＡＬの具体例を示す説明図である。
【図１３】図１３は、緊急度高のアラーム情報ＡＬの具体例を示す説明図である。
【図１４】図１４は、実施の形態１にかかる監視装置１０１の監視処理手順の一例を示すフローチャートである。
【図１５】図１５は、アラーム通知レベル情報テーブル２５０の記憶内容の一例を示す説明図（その２）である。
【図１６】図１６は、実施の形態２にかかる監視装置１０１の機能的構成例を示すブロック図である。
【図１７】図１７は、緊急度中のアラーム情報ＡＬの具体例を示す説明図である。
【図１８】図１８は、実施の形態２にかかる監視装置１０１の監視処理手順の一例を示すフローチャートである。
【図１９】図１９は、アラーム通知レベル情報テーブル２５０の記憶内容の一例を示す説明図（その３）である。
【図２０】図２０は、実施の形態３にかかる監視装置１０１の機能的構成例を示すブロック図である。
【図２１】図２１は、実施の形態３にかかる監視装置１０１の監視処理手順の一例を示すフローチャート（その１）である。
【図２２】図２２は、実施の形態３にかかる監視装置１０１の監視処理手順の一例を示すフローチャート（その２）である。
【発明を実施するための形態】
【００１１】
以下に図面を参照して、本発明にかかる監視システム、監視装置、監視方法および監視プログラムの実施の形態を詳細に説明する。
【００１２】
（実施の形態１）
図１は、実施の形態１にかかる監視方法の一実施例を示す説明図である。図１において、監視装置１０１は、被監視者Ｍへの対応の緊急度合いに応じたアラーム情報ＡＬを出力するコンピュータである。ここで、被監視者Ｍは、監視対象となる者であり、例えば、要介護状態にある高齢者や特定疾患が原因で要介護状態にある者である。
【００１３】
生体情報測定装置１０２は、被監視者Ｍの生体情報ｖｄを測定するコンピュータである。生体情報測定装置１０２は、例えば、被監視者Ｍの手首、足首、胸などに装着される。生体情報ｖｄは、被監視者Ｍの健康状態を判断するために用いられる情報である。生体情報ｖｄは、例えば、被監視者Ｍの体温、心拍、血圧などである。
【００１４】
また、生体情報測定装置１０２は、測定した被監視者Ｍの生体情報ｖｄを定期的に送信する機能を有する。具体的には、例えば、生体情報測定装置１０２は、移動体通信網（例えば、携帯電話網）やインターネットなどを介して、被監視者Ｍの生体情報ｖｄを監視装置１０１に定期的に送信することにしてもよい。
【００１５】
また、生体情報測定装置１０２は、例えば、通信範囲が数十メートル程度の無線通信により、被監視者Ｍの生体情報ｖｄを定期的に送信することにしてもよい。この場合、例えば、被監視者Ｍの住居に設置される中継装置（例えば、後述の図２に示す中継装置２０１）により、生体情報測定装置１０２から送信される被監視者Ｍの生体情報ｖｄが監視装置１０１に転送される。なお、生体情報ｖｄの測定タイミングおよび送信タイミングは、それぞれ任意に設定可能であり、例えば、１０分間隔、１時間間隔などに設定される。
【００１６】
電力測定装置１０３は、被監視者Ｍの住居に設置された電子機器Ｅの使用電力情報ｗｄを測定するコンピュータである。被監視者Ｍの住居とは、被監視者Ｍが住む（または、滞在する）場所や家である。また、電力測定装置１０３は、測定した電子機器Ｅの使用電力情報ｗｄを監視装置１０１に定期的に送信する。ここで、電子機器Ｅの使用電力情報ｗｄは、例えば、単位時間当たりの電子機器Ｅの使用電力量を示す情報である。図１の例では、電子機器Ｅの一例として、ＴＶ（テレビジョン）が示されている。なお、使用電力情報ｗｄの測定タイミングおよび送信タイミングは、それぞれ任意に設定可能であり、例えば、３０分間隔、１時間間隔などに設定される。
【００１７】
ここで、被監視者Ｍの異変を報知するために、例えば、生体情報測定装置１０２から定期的に送信される被監視者Ｍの生体情報ｖｄが欠測した場合に、監視者Ｋに対してアラームを通知することが考えられる。監視者Ｋは、被監視者Ｍを監視する者であり、例えば、被監視者Ｍの家族、訪問看護師、ホームヘルパー、ケアマネージャー（デイサービス）などである。
【００１８】
ただし、被監視者Ｍの生体情報ｖｄが欠測する原因は様々である。例えば、被監視者Ｍが心肺停止状態に陥ると、被監視者Ｍの生体情報ｖｄが欠測する場合がある。また、生体情報測定装置１０２の電波が届きにくい場所に被監視者Ｍがいると、被監視者Ｍの生体情報ｖｄが欠測する場合がある。
【００１９】
また、生体情報測定装置１０２の充電が切れて、被監視者Ｍの生体情報ｖｄが欠測する場合がある。また、生体情報測定装置１０２が故障して、被監視者Ｍの生体情報ｖｄが欠測する場合がある。また、被監視者Ｍが生体情報測定装置１０２を装着していないために、被監視者Ｍの生体情報ｖｄが欠測する場合がある。
【００２０】
これらのうち、例えば、被監視者Ｍが心肺停止状態に陥って被監視者Ｍの生体情報ｖｄが欠測した場合には、被監視者Ｍへの対応を迅速に行う必要があり緊急度が高い。一方で、例えば、生体情報測定装置１０２の充電が切れて被監視者Ｍの生体情報ｖｄが欠測した場合は、しばらくすると生体情報ｖｄの取得が再開される可能性が高く緊急度は低い。
【００２１】
しかし、被監視者Ｍの生体情報ｖｄを欠測したということからだけでは、被監視者Ｍへの対応の緊急度合いを判断することは困難である。また、最悪の事態を想定して、被監視者Ｍの生体情報ｖｄを欠測した場合に、その都度、緊急度の高いアラームを監視者Ｋに通知すると、被監視者Ｍの安否確認等の監視者Ｋの負荷が増大してしまう。
【００２２】
そこで、実施の形態１では、監視装置１０１は、被監視者Ｍの生体情報ｖｄを欠測した場合に、被監視者Ｍの住居に設置された電子機器Ｅの欠測前後における使用電力量Ｗの変化の有無に応じて異なるアラーム情報ＡＬを出力する。これにより、監視者Ｋが被監視者Ｍへの対応の緊急度合いを判断できるようにする。以下、監視装置１０１の監視処理例について説明する。
【００２３】
（１）監視装置１０１は、生体情報測定装置１０２から定期的に送信される被監視者Ｍの生体情報ｖｄを取得する。具体的には、例えば、監視装置１０１は、被監視者Ｍの住居に設置される中継装置（例えば、後述の図２に示す中継装置２０１）を介して、生体情報測定装置１０２から定期的に送信される被監視者Ｍの生体情報ｖｄを受信する。
【００２４】
（２）監視装置１０１は、被監視者Ｍの生体情報ｖｄを欠測した場合、電力測定装置１０３により測定された電子機器Ｅの使用電力情報ｗｄに基づいて、電子機器Ｅの使用電力量Ｗが変化したか否かを判断する。具体的には、例えば、監視装置１０１は、被監視者Ｍの生体情報ｖｄを欠測した際の電子機器Ｅの使用電力量Ｗ１が、被監視者Ｍの生体情報ｖｄを欠測する前の電子機器Ｅの使用電力量Ｗ２から変化しているか否かを判断する。
【００２５】
ここで、電子機器Ｅの使用電力量Ｗ１は、例えば、被監視者Ｍの生体情報ｖｄを欠測した時点の電子機器Ｅの使用電力量Ｗであってもよい。この場合、電子機器Ｅの使用電力量Ｗ２は、例えば、被監視者Ｍの生体情報ｖｄを欠測する前のある時点の使用電力量Ｗであってもよい。
【００２６】
図１において、グラフ１１０は、被監視者Ｍの住居に設置された電子機器Ｅ（図１の例では、ＴＶ）の４月１日の使用電力量Ｗの時系列変化を表す（単位：ワット）。また、グラフ１２０は、被監視者Ｍの生体情報ｖｄから特定される４月１日の被監視者Ｍの体温の時系列変化をあらわす（単位：℃）。
【００２７】
グラフ１３０は、被監視者Ｍの住居に設置された電子機器Ｅ（ＴＶ）の４月２日の使用電力量Ｗの時系列変化を表す。また、グラフ１４０は、被監視者Ｍの生体情報ｖｄから特定される４月２日の被監視者Ｍの体温の時系列変化をあらわす。図１の例では、４月２日の９時３０分の時点で被監視者Ｍの生体情報ｖｄが欠測している。
【００２８】
ここで、４月２日の１０時００分の時点で被監視者Ｍの生体情報ｖｄの欠測が検出された場合を想定する。この場合、監視装置１０１は、例えば、被監視者Ｍの生体情報ｖｄを欠測した４月２日の１０時００分の時点のＴＶの使用電力量Ｗ１が、４月１日の１０時００分の時点のＴＶの使用電力量Ｗ２から変化しているか否かを判断する。
【００２９】
図１の例では、４月２日の１０時００分の時点のＴＶの使用電力量Ｗ１は「Ｗ１＝５０Ｗ」である。一方、４月１日の１０時００分の時点のＴＶの使用電力量Ｗ２は「Ｗ２＝５０Ｗ」である。このため、監視装置１０１は、ＴＶの使用電力量Ｗ１が、ＴＶの使用電力量Ｗ２から変化していないと判断する。
【００３０】
また、４月２日の１１時００分の時点で被監視者Ｍの生体情報ｖｄの欠測が検出された場合を想定する。この場合、監視装置１０１は、例えば、被監視者Ｍの生体情報ｖｄを欠測した４月２日の１１時００分の時点のＴＶの使用電力量Ｗ１が、４月１日の１１時００分の時点のＴＶの使用電力量Ｗ２から変化しているか否かを判断する。
【００３１】
図１の例では、４月２日の１１時００分の時点のＴＶの使用電力量Ｗ１は「Ｗ１＝５０Ｗ」である。一方、４月１日の１１時００分の時点のＴＶの使用電力量Ｗ２は「Ｗ２＝０Ｗ」である。このため、監視装置１０１は、ＴＶの使用電力量Ｗ１が、ＴＶの使用電力量Ｗ２から変化していると判断する。
【００３２】
（３）監視装置１０１は、判断した判断結果に応じて異なるアラーム情報ＡＬを出力する。ここで、被監視者Ｍがいつも同じような生活リズムで生活しているとする。また、例えば、一日のうちのある時間帯はＴＶを視聴していることが多く、別の時間帯は外出していることが多いなどの傾向があるとする。
【００３３】
この場合、例えば、被監視者Ｍが外出していることが多い時間帯にＴＶの電源がＯＮになっていると、被監視者Ｍに何らかの異変が起きている可能性があると判断することができる。同様に、被監視者ＭがＴＶを視聴していることが多い時間帯にＴＶの電源がＯＦＦになっていると、被監視者Ｍに何らかの異変が起きている可能性があると判断することができる。
【００３４】
また、被監視者Ｍの生体情報ｖｄが欠測したときは、被監視者Ｍに何らかの異変が起きている可能性があると判断することができる。このため、被監視者Ｍの生体情報ｖｄを欠測し、かつ、電子機器Ｅの使用電力量Ｗが変化している場合は、被監視者Ｍに何らかの異変が起きている可能性が高いと判断することができる。
【００３５】
監視装置１０１は、例えば、電子機器Ｅの使用電力量Ｗが変化している場合には、電子機器の使用電力量Ｗが変化していない場合に比べて緊急度の高いアラーム情報ＡＬをクライアント端末１０４に送信する。クライアント端末１０４は、監視者Ｋが使用するコンピュータである。一方、監視装置１０１は、例えば、電子機器Ｅの使用電力量Ｗが変化していない場合には、電子機器Ｅの使用電力量Ｗが変化している場合に比べて緊急度の低いアラーム情報ＡＬを出力する。
【００３６】
このように、監視装置１０１によれば、被監視者Ｍの生体情報ｖｄを欠測した場合に、生体情報ｖｄを欠測した際の電子機器Ｅの使用電力量Ｗ１が、生体情報ｖｄを欠測する前の電子機器Ｅの使用電力量Ｗ２から変化しているか否かを判断することができる。また、監視装置１０１によれば、判断した判断結果に応じて異なるアラーム情報ＡＬを出力することができる。
【００３７】
これにより、被監視者Ｍへの対応の緊急度合いに応じたアラーム情報ＡＬを監視者Ｋに通知することができる。また、監視者Ｋは、被監視者Ｍへの対応の緊急度合いを判断することができるようになり、被監視者Ｍの安否確認等にかかる負荷の増大を抑制することができる。
【００３８】
（監視システム２００のシステム構成例）
実施の形態１にかかる監視システム２００のシステム構成例について説明する。
【００３９】
図２は、監視システム２００のシステム構成例を示す説明図である。図２において、監視システム２００は、監視装置１０１と、生体情報測定装置１０２と、電力測定装置１０３と、クライアント端末１０４と、中継装置２０１と、を含む。監視システム２００において、監視装置１０１、電力測定装置１０３、クライアント端末１０４および中継装置２０１は、有線または無線のネットワーク２１０を介して接続される。ネットワーク２１０は、例えば、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、移動体通信網、インターネットなどである。
【００４０】
ここで、監視装置１０１は、各種ＤＢ（データベース）等２２０，２３０，２４０，２５０を有し、被監視者Ｍへの対応の緊急度合いに応じたアラーム情報ＡＬを出力する。監視装置１０１は、例えば、監視システム２００の管理者が使用するサーバ、ＰＣ（Ｐｅｒｓｏｎａｌ  Ｃｏｍｐｕｔｅｒ）などである。なお、各種データベース等２２０，２３０，２４０，２５０の記憶内容については、図６〜図９を用いて後述する。
【００４１】
生体情報測定装置１０２は、被監視者Ｍの生体情報ｖｄを測定して定期的に送信する。以下の説明では、被監視者Ｍの生体情報ｖｄとして、被監視者Ｍの体温を測定する場合を例に挙げて説明する。具体的には、例えば、生体情報測定装置１０２は、被監視者Ｍの生体情報ｖｄを１時間間隔（００時〜２３時の各時間帯の００分）で測定して定期的に送信する。
【００４２】
電力測定装置１０３は、被監視者Ｍの住居に設置された電子機器Ｅの使用電力情報ｗｄを測定して、ネットワーク２１０を介して監視装置１０１に定期的に送信する。電子機器Ｅは、例えば、ＴＶ、エアコン、扇風機、こたつ、ＩＨ（ｉｎｄｕｃｔｉｏｎ  ｈｅａｔｉｎｇ）機器、アイロン、照明機器などである。
【００４３】
クライアント端末１０４は、例えば、監視者Ｋが使用するスマートフォン、携帯電話機、タブレット型ＰＣ、ＰＨＳ（Ｐｅｒｓｏｎａｌ  Ｈａｎｄｙ−ｐｈｏｎｅ  Ｓｙｓｔｅｍ）、ＰＣ、ノートＰＣなどである。ここでは、監視者Ｋとして、訪問看護師、ホームヘルパー、ケアマネージャー（デイサービス）、家族を例に挙げて説明する。
【００４４】
中継装置２０１は、被監視者Ｍの住居に設置され、生体情報測定装置１０２から送信される被監視者Ｍの生体情報ｖｄを中継する。中継装置２０１は、例えば、家の軒先などに設置される。具体的には、例えば、中継装置２０１は、生体情報測定装置１０２から送信される被監視者Ｍの生体情報ｖｄを受信して、ネットワーク２１０を介して監視装置１０１に送信する。
【００４５】
（監視装置１０１のハードウェア構成例）
図３は、監視装置１０１のハードウェア構成例を示すブロック図である。図３において、監視装置１０１は、ＣＰＵ（Ｃｅｎｔｒａｌ  Ｐｒｏｃｅｓｓｉｎｇ  Ｕｎｉｔ）３０１と、メモリ３０２と、Ｉ／Ｆ（Ｉｎｔｅｒｆａｃｅ）３０３と、磁気ディスクドライブ３０４と、磁気ディスク３０５と、を有する。また、各構成部は、バス３００によってそれぞれ接続される。
【００４６】
ここで、ＣＰＵ３０１は、監視装置１０１の全体の制御を司る。メモリ３０２は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）およびフラッシュＲＯＭなどを有する。具体的には、例えば、フラッシュＲＯＭやＲＯＭが各種プログラムを記憶し、ＲＡＭがＣＰＵ３０１のワークエリアとして使用される。メモリ３０２に記憶されるプログラムは、ＣＰＵ３０１にロードされることで、コーディングされている処理をＣＰＵ３０１に実行させる。
【００４７】
Ｉ／Ｆ３０３は、通信回線を通じてネットワーク２１０に接続され、ネットワーク２１０を介して他のコンピュータ（例えば、図２に示した電力測定装置１０３、クライアント端末１０４、中継装置２０１）に接続される。そして、Ｉ／Ｆ３０３は、ネットワーク２１０と内部のインターフェースを司り、他のコンピュータからのデータの入出力を制御する。Ｉ／Ｆ３０３には、例えば、モデムやＬＡＮアダプタなどを採用することができる。
【００４８】
磁気ディスクドライブ３０４は、ＣＰＵ３０１の制御にしたがって磁気ディスク３０５に対するデータのリード／ライトを制御する。磁気ディスク３０５は、磁気ディスクドライブ３０４の制御で書き込まれたデータを記憶する。
【００４９】
なお、監視装置１０１は、上述した構成部のほか、例えば、ＳＳＤ（Ｓｏｌｉｄ  Ｓｔａｔｅ  Ｄｒｉｖｅ）、キーボード、マウス、ディスプレイなどを有することにしてもよい。また、図２に示したクライアント端末１０４、中継装置２０１についても、上述した監視装置１０１と同様のハードウェア構成例により実現することができる。また、中継装置２０１は、生体情報測定装置１０２と無線通信するためのアンテナ、無線通信回路を有する。
【００５０】
（生体情報測定装置１０２のハードウェア構成例）
図４は、生体情報測定装置１０２のハードウェア構成例を示すブロック図である。図４において、生体情報測定装置１０２は、プロセッサ４０１と、メモリ４０２と、センサ４０３と、アンテナ４０４と、無線通信回路４０５と、ハーベスタ４０６と、バッテリ４０７と、ＰＭＵ（Ｐｏｗｅｒ  Ｍａｎａｇｅｍｅｎｔ  Ｕｎｉｔ）４０８と、を有する。また、生体情報測定装置１０２は、プロセッサ４０１、メモリ４０２、センサ４０３、無線通信回路４０５およびＰＭＵ４０８を接続するバス４００を有する。
【００５１】
プロセッサ４０１は、生体情報測定装置１０２の全体の制御を司る。メモリ４０２は、例えば、ＲＯＭ、ＲＡＭおよび不揮発メモリなどを有する。具体的には、例えば、ＲＯＭが各種プログラムを記憶し、ＲＡＭがプロセッサ４０１のワークエリアとして使用される。不揮発メモリは、書き込み可能な記憶装置であって、電力供給が途絶えたときにおいても書き込まれたデータを保持する。
【００５２】
センサ４０３は、設置箇所における温度、圧力などを検出する。例えば、プロセッサ４０１は、センサ４０３により検出されたデータに基づいて、生体情報測定装置１０２を装着した被監視者の体温、心拍、血圧などを測定する。アンテナ４０４は、中継装置２０１と無線通信する電波を送受信する。無線通信回路４０５は、アンテナ４０４を介して受信した無線電波を受信信号として出力し、送信信号を無線電波としてアンテナ４０４を介して送信する。
【００５３】
ハーベスタ４０６は、エナジーハーベスト素子を含み、設置箇所における外部環境、例えば、光、振動、温度、無線電波（受信電波）などのエネルギー変化に基づき発電を行う。バッテリ４０７は、ハーベスタ４０６により発電された電力を蓄える。ＰＭＵ４０８は、バッテリ４０７によって蓄えられた電力を、生体情報測定装置１０２の各構成部に駆動電源として供給する制御を行う。
【００５４】
なお、生体情報測定装置１０２は、上述した構成部のほかに、例えば、二次電池を有することにしてもよい。また、図４中、点線矢印は、電力の流れを示している。
【００５５】
（電力測定装置１０３のハードウェア構成例）
図５は、電力測定装置１０３のハードウェア構成例を示すブロック図である。図５において、電力測定装置１０３は、ＣＰＵ５０１と、メモリ５０２と、磁気ディスクドライブ５０３と、磁気ディスク５０４と、Ｉ／Ｆ５０５と、電流センサ５０６と、コンセント５０７と、を有する。また、電力測定装置１０３は、ＣＰＵ５０１、メモリ５０２、磁気ディスクドライブ５０３、Ｉ／Ｆ５０５および電流センサ５０６を接続するバス５００を有する。
【００５６】
ここで、ＣＰＵ５０１は、電力測定装置１０３の全体の制御を司る。メモリ５０２は、例えば、ＲＯＭ、ＲＡＭおよびフラッシュＲＯＭなどを有する。具体的には、例えば、フラッシュＲＯＭやＲＯＭが各種プログラムを記憶し、ＲＡＭがＣＰＵ５０１のワークエリアとして使用される。
【００５７】
磁気ディスクドライブ５０３は、ＣＰＵ５０１の制御にしたがって磁気ディスク５０４に対するデータのリード／ライトを制御する。磁気ディスク５０４は、磁気ディスクドライブ５０３の制御で書き込まれたデータを記憶する。
【００５８】
Ｉ／Ｆ５０５は、通信回線を通じてネットワーク２１０に接続され、ネットワーク２１０を介して他のコンピュータ（例えば、図２に示した監視装置１０１）に接続される。そして、Ｉ／Ｆ５０５は、ネットワーク２１０と内部のインターフェースを司り、他のコンピュータからのデータの入出力を制御する。
【００５９】
電流センサ５０６は、コンセント５０７に接続された電子機器Ｅに供給される電流を検出する。例えば、ＣＰＵ５０１は、電流センサ５０６により検出されたデータに基づいて、コンセント５０７に接続された電子機器Ｅの使用電力を測定する。コンセント５０７は、電子機器Ｅに接続される電源ケーブルのプラグを挿入するプラグ挿入口と、プラグのアース端子を受け入れるアース端子口とを有する。
【００６０】
（被監視者情報ＤＢ２２０の記憶内容）
つぎに、図２に示した各種ＤＢ等２２０，２３０，２４０，２５０の記憶内容について説明する。まず、被監視者情報ＤＢ２２０の記憶内容について説明する。被監視者情報ＤＢ２２０は、例えば、図３に示したメモリ３０２、磁気ディスク３０５等の記憶装置により実現される。
【００６１】
図６は、被監視者情報ＤＢ２２０の記憶内容の一例を示す説明図である。図６において、被監視者情報ＤＢ２２０は、氏名、住所、監視者、アドレスおよび通知状況のフィールドを有し、各フィールドに情報を設定することにより、被監視者Ｍの被監視者情報を記憶する。
【００６２】
ここで、氏名は、被監視者Ｍの氏名である。住所は、被監視者Ｍの住所である。監視者は、被監視者Ｍを監視する監視者Ｋの名称である。アドレスは、監視者Ｋが使用するクライアント端末１０４のアドレス（例えば、メールアドレス、電話番号など）である。通知状況は、監視者Ｋに対するアラーム情報ＡＬの通知状況を示す。通知状況フィールドには「−（ＮＵＬＬ）」または「通知」が設定される。なお、通知状況は、初期状態では「−」である。
【００６３】
（生体情報ＤＢ２３０の記憶内容）
つぎに、生体情報ＤＢ２３０の記憶内容について説明する。生体情報ＤＢ２３０は、例えば、メモリ３０２、磁気ディスク３０５等の記憶装置により実現される。
【００６４】
図７は、生体情報ＤＢ２３０の記憶内容の一例を示す説明図である。図７において、生体情報ＤＢ２３０は、日付、時刻および体温のフィールドを有し、各フィールドに情報を設定することにより、被監視者Ｍの生体情報ｖｄをレコードとして記憶する。
【００６５】
ここで、日付は、生体情報測定装置１０２により被監視者Ｍの生体情報ｖｄが測定された日付である。時刻は、生体情報測定装置１０２により被監視者Ｍの生体情報ｖｄが測定された時刻である。体温は、生体情報測定装置１０２により測定された被監視者Ｍの体温である。体温の単位は［℃］である。体温フィールドには「体温」または「欠測」が設定される。
【００６６】
例えば、４月１日の００時００分に測定された被監視者Ｍの体温は、「３６．４［℃］」である。また、例えば、４月２日の１３時００分の体温フィールドには「欠測」が設定されており、被監視者Ｍの生体情報ｖｄが欠測したことを示している。なお、日付、時刻は、監視装置１０１により被監視者Ｍの生体情報ｖｄが取得された日付、時刻であってもよい。
【００６７】
（使用電力情報ＤＢ２４０の記憶内容）
つぎに、使用電力情報ＤＢ２４０の記憶内容について説明する。使用電力情報ＤＢ２４０は、例えば、メモリ３０２、磁気ディスク３０５等の記憶装置により実現される。
【００６８】
図８は、使用電力情報ＤＢ２４０の記憶内容の一例を示す説明図である。図８において、使用電力情報ＤＢ２４０は、日付、時刻および使用電力のフィールドを有し、各フィールドに情報を設定することにより、被監視者Ｍの住居に設置された電子機器Ｅの使用電力情報ｗｄをレコードとして記憶する。
【００６９】
ここで、日付は、電力測定装置１０３により電子機器Ｅの使用電力情報ｗｄが測定された日付である。時刻は、電力測定装置１０３により電子機器Ｅの使用電力情報ｗｄが測定された時刻である。使用電力は、電力測定装置１０３により測定された電子機器Ｅの使用電力である。使用電力の単位は［Ｗ（ワット）］である。
【００７０】
ここでは、監視者Ｋの住居に設置された電子機器Ｅとして、ＴＶ、扇風機、ＩＨ機器、アイロンが示されている。例えば、４月１日の００時００分に測定されたＴＶの使用電力は、「０［Ｗ］」である。また、例えば、４月１日の９時００分に測定されたＴＶの使用電力は、「５０［Ｗ］」である。なお、日付、時刻は、監視装置１０１により電子機器Ｅの使用電力情報ｗｄが取得された日付、時刻であってもよい。
【００７１】
（アラーム通知レベル情報テーブル２５０の記憶内容）
つぎに、アラーム通知レベル情報テーブル２５０の記憶内容について説明する。アラーム通知レベル情報テーブル２５０は、例えば、メモリ３０２、磁気ディスク３０５等の記憶装置により実現される。
【００７２】
図９は、アラーム通知レベル情報テーブル２５０の記憶内容の一例を示す説明図（その１）である。図９において、アラーム通知レベル情報テーブル２５０は、レベル、欠測状態、使用電力量比較および通知先のフィールドを有し、各フィールドに情報を設定することにより、アラーム通知レベル情報９００−１〜９００−３をレコードとして記憶する。
【００７３】
ここで、レベルは、被監視者Ｍへの対応の緊急度合いを示すアラーム通知レベルである。ここでは、「レベルＡ」が緊急度高のアラーム通知レベルを示し、「レベルＢ」が緊急度低のアラーム通知レベルを示す。欠測状態は、被監視者Ｍの生体情報ｖｄを欠測しているか否かを示す。「欠測」は、被監視者Ｍの生体情報ｖｄを欠測していることを示す。「受信」は、被監視者Ｍの生体情報ｖｄを欠測していないことを示す。
【００７４】
使用電力量比較は、電子機器Ｅの使用電力量Ｗ１が電子機器Ｅの使用電力量Ｗ２から変化しているか否かを示す。「変化あり」は、電子機器Ｅの使用電力量Ｗ１が電子機器Ｅの使用電力量Ｗ２から変化していることを示す。「変化なし」は、電子機器Ｅの使用電力量Ｗ１が電子機器Ｅの使用電力量Ｗ２から変化していないことを示す。
【００７５】
通知先は、アラーム情報ＡＬの通知先である。ここでは、アラーム情報ＡＬの通知先として、訪問看護師、ホームヘルパー、ケアマネージャー、家族が示されている。「○」は、アラーム情報ＡＬの通知を行うことを示す。「×」は、アラーム情報ＡＬの通知を行わないことを示す。
【００７６】
例えば、アラーム通知レベル情報９００−１は、欠測状態「欠測」かつ使用電力量比較「変化あり」の場合に、アラーム通知レベルＡのアラーム情報ＡＬを、「訪問看護師」、「ホームヘルパー」、「ケアマネージャー」および「家族」に通知することを示す。
【００７７】
（監視装置１０１の機能的構成例）
図１０は、実施の形態１にかかる監視装置１０１の機能的構成例を示すブロック図である。図１０において、監視装置１０１は、取得部１００１と、検出部１００２と、判断部１００３と、出力部１００４と、を含む構成である。各機能部は、具体的には、例えば、図３に示したメモリ３０２、磁気ディスク３０５などの記憶装置に記憶されたプログラムをＣＰＵ３０１に実行させることにより、または、Ｉ／Ｆ３０３により、その機能を実現する。各機能部の処理結果は、例えば、メモリ３０２、磁気ディスク３０５などの記憶装置に記憶される。
【００７８】
取得部１００１は、生体情報測定装置１０２から定期的に送信される被監視者Ｍの生体情報ｖｄを取得する機能を有する。被監視者Ｍの生体情報ｖｄには、例えば、生体情報測定装置１０２により測定された被監視者Ｍの体温、被監視者Ｍの体温が測定された日付、時刻を示す情報が含まれている。
【００７９】
具体的には、例えば、取得部１００１は、ネットワーク２１０を介して、生体情報測定装置１０２から定期的に送信される被監視者Ｍの生体情報ｖｄを中継装置２０１から受信することにより、被監視者Ｍの生体情報ｖｄを取得する。また、例えば、取得部１００１は、ネットワーク２１０を介して、生体情報測定装置１０２から被監視者Ｍの生体情報ｖｄを受信することにより、被監視者Ｍの生体情報ｖｄを取得することにしてもよい。なお、取得された被監視者Ｍの生体情報ｖｄは、例えば、図７に示した生体情報ＤＢ２３０に記憶される。
【００８０】
また、取得部１００１は、電力測定装置１０３から定期的に送信される電子機器Ｅの使用電力情報ｗｄを取得する機能を有する。電子機器Ｅの使用電力情報ｗｄには、例えば、電力測定装置１０３により測定された電子機器Ｅの使用電力量Ｗ（消費電力）、電子機器Ｅの名称、電子機器Ｅの使用電力量Ｗが測定された日付、時刻を示す情報が含まれている。
【００８１】
具体的には、例えば、取得部１００１は、ネットワーク２１０を介して、電力測定装置１０３から定期的に送信される電子機器Ｅの使用電力情報ｗｄを受信することにより、電子機器Ｅの使用電力情報ｗｄを取得する。また、例えば、取得部１００１は、不図示の管理サーバから電子機器Ｅの使用電力情報ｗｄを受信することにより、電子機器Ｅの使用電力情報ｗｄを取得することにしてもよい。
【００８２】
管理サーバ（不図示）は、電力測定装置１０３により測定された電子機器Ｅの使用電力情報ｗｄを管理するコンピュータである。なお、取得された電子機器Ｅの使用電力情報ｗｄは、例えば、図８に示した使用電力情報ＤＢ２４０に記憶される。
【００８３】
検出部１００２は、生体情報測定装置１０２から定期的に送信される被監視者Ｍの生体情報ｖｄの欠測を検出する機能を有する。具体的には、例えば、検出部１００２は、生体情報測定装置１０２から１時間間隔で定期的に送信される被監視者Ｍの生体情報ｖｄが取得されなかった場合に、被監視者Ｍの生体情報ｖｄの欠測を検出する。
【００８４】
より具体的には、例えば、検出部１００２は、生体情報ＤＢ２３０を参照して、被監視者Ｍの生体情報ｖｄの欠測を検出することにしてもよい。図７に示した例では、検出部１００２は、例えば、４月２日の１３時００分に取得されるべき被監視者Ｍの生体情報ｖｄの欠測を検出する。
【００８５】
判断部１００３は、被監視者Ｍの生体情報ｖｄの欠測が検出された場合、電力測定装置１０３により測定された電子機器Ｅの使用電力情報ｗｄに基づいて、電子機器Ｅの使用電力量Ｗが変化したか否かを判断する機能を有する。具体的には、例えば、判断部１００３は、使用電力情報ＤＢ２４０を参照して、被監視者Ｍの生体情報ｖｄを欠測した際の電子機器Ｅの使用電力量Ｗ１が、被監視者Ｍの生体情報ｖｄを欠測する前の電子機器Ｅの使用電力量Ｗ２から変化しているか否かを判断する。
【００８６】
ここで、電子機器Ｅの使用電力量Ｗ１は、例えば、被監視者Ｍの生体情報ｖｄを欠測した時刻（または、時間帯）の電子機器Ｅの使用電力量Ｗである。以下の説明では、被監視者Ｍの生体情報ｖｄを欠測した時刻を「欠測時刻」と表記する場合がある。また、被監視者Ｍの一日の生活リズムが毎日ほぼ似ていると仮定すると、電子機器Ｅの使用電力量Ｗ２は、例えば、被監視者Ｍの生体情報ｖｄを欠測した日以前の日（例えば、前日）の、欠測時刻と同一時刻（または、同一時間帯）の使用電力量Ｗとしてもよい。以下の説明では、被監視者Ｍの生体情報ｖｄを欠測した日を「欠測日」と表記する場合がある。
【００８７】
これにより、被監視者Ｍの生体情報ｖｄの欠測前後において、同一時刻（または、同一時間帯）の電子機器Ｅの使用電力量Ｗを比較することができる。なお、電子機器Ｅの使用電力量Ｗ２は、例えば、欠測日以前の日（例えば、前日）の、欠測時刻と同一時刻を含む複数の時間帯の使用電力量Ｗの平均値としてもよい。
【００８８】
また、被監視者Ｍの一日の生活リズムが曜日単位で似ていると仮定すると、電子機器Ｅの使用電力量Ｗ２は、例えば、欠測日以前の日（例えば、先週）であって、欠測日と同一曜日の、欠測時刻と同一時刻（または、同一時間帯）の使用電力量Ｗとしてもよい。これにより、被監視者Ｍの生体情報ｖｄの欠測前後において、同一曜日の同一時刻（または、同一時間帯）の電子機器Ｅの使用電力量Ｗを比較することができる。
【００８９】
また、電子機器Ｅの使用電力量Ｗ２は、被監視者Ｍの生体情報ｖｄが欠測していないときの使用電力量Ｗであってもよい。これにより、被監視者Ｍの生体情報ｖｄを欠測した際の電子機器Ｅの使用電力量Ｗ１を、被監視者Ｍの生体情報ｖｄが取得されたときの電子機器Ｅの使用電力量Ｗ２と比較することができる。
【００９０】
また、電子機器Ｅの使用電力量Ｗ１は、例えば、欠測日の電子機器Ｅの使用電力量Ｗであってもよい。この場合、電子機器Ｅの使用電力量Ｗ２は、例えば、欠測日以前の日（例えば、前日）の使用電力量Ｗ（例えば、００時００分から欠測時刻と同一時刻までの使用電力量Ｗ）であってもよい。
【００９１】
より具体的には、例えば、判断部１００３は、電子機器Ｅの使用電力量Ｗ１と電子機器Ｅの使用電力量Ｗ２との差分ΔＷが所定値α未満であれば、電子機器Ｅの使用電力量Ｗ１が、電子機器Ｅの使用電力量Ｗ２から変化していないと判断する。所定値αは、例えば、電子機器Ｅが稼働している場合の使用電力量Ｗの平均値の数％程度の値に設定される。
【００９２】
一例として、欠測日を「４月２日」とし、欠測時刻を「１３時００分」とする。また、電子機器Ｅの使用電力量Ｗ２を、欠測日前日の欠測時刻と同一時刻の使用電力量Ｗとする。この場合、図８の例では、電子機器Ｅの使用電力量Ｗ１は「５０［Ｗ］」となり、電子機器Ｅの使用電力量Ｗ２は「５０［Ｗ］」となる。そして、判断部１００３は、電子機器Ｅの使用電力量Ｗ１が、電子機器Ｅの使用電力量Ｗ２から変化していないと判断する。
【００９３】
また、欠測日を「４月２日」とし、欠測時刻を「１４時００分」とする。また、電子機器Ｅの使用電力量Ｗ２を、欠測日前日の欠測時刻と同一時刻の使用電力量Ｗとする。この場合、図８の例では、電子機器Ｅの使用電力量Ｗ１は「５０［Ｗ］」となり、電子機器Ｅの使用電力量Ｗ２は「０［Ｗ］」となる。そして、判断部１００３は、電子機器Ｅの使用電力量Ｗ１が、電子機器Ｅの使用電力量Ｗ２から変化していると判断する。
【００９４】
なお、複数の時間帯あるいは日単位の電子機器Ｅの使用電力量Ｗは、例えば、判断部１００３が、使用電力情報ＤＢ２４０を参照して、各時刻の電子機器Ｅの使用電力量Ｗを累積することにより求めることができる。
【００９５】
出力部１００４は、判断部１００３によって判断された判断結果に応じて異なるアラーム情報ＡＬを出力する機能を有する。具体的には、例えば、出力部１００４は、電子機器Ｅの使用電力量Ｗが変化したと判断された場合には、電子機器Ｅの使用電力量Ｗが変化していないと判断された場合に比べて緊急度の高いアラーム情報ＡＬを出力する。
【００９６】
出力部１００４の出力形式としては、例えば、Ｉ／Ｆ３０３による他のコンピュータへの送信、ディスプレイ（不図示）への表示、プリンタ（不図示）への印刷出力、メモリ３０２、磁気ディスク３０５などの記憶装置への記憶がある。なお、出力部１００４は、電子機器Ｅの使用電力量Ｗが変化していないと判断された場合は、アラーム情報ＡＬを出力しないことにしてもよい。
【００９７】
より具体的には、例えば、出力部１００４は、図９に示したアラーム通知レベル情報テーブル２５０を参照して、アラーム情報ＡＬの緊急度合いに応じた監視者Ｋのクライアント端末１０４にアラーム情報ＡＬを送信する。詳細に説明すると、まず、出力部１００４は、アラーム通知レベル情報テーブル２５０を参照して、アラーム情報ＡＬのアラーム通知レベルを設定する。
【００９８】
図９の例では、出力部１００４は、欠測状態が「欠測」かつ使用電力量比較が「変化あり」の場合に、アラーム通知レベルを「レベルＡ」に設定する。また、出力部１００４は、欠測状態が「欠測」かつ使用電力量比較が「変化なし」の場合に、アラーム通知レベルを「レベルＢ」に設定する。
【００９９】
なお、欠測状態が「受信」の場合、すなわち、被監視者Ｍの生体情報ｖｄを欠測していない場合は、アラーム通知レベルは非設定となる。すなわち、欠測状態が「受信」の場合は、出力部１００４は、アラーム情報ＡＬを出力しない。
【０１００】
つぎに、出力部１００４は、アラーム通知レベル情報テーブル２５０を参照して、設定したアラーム通知レベルに対応する通知先を特定する。図９の例では、「レベルＡ」の場合は、アラーム情報ＡＬの通知先として、「訪問看護師」、「ホームヘルパー」、「ケアマネージャー」および「家族」が特定される。また、「レベルＢ」の場合は、アラーム情報ＡＬの通知先として、「家族」が特定される。
【０１０１】
そして、出力部１００４は、特定した通知先のクライアント端末１０４に、設定したアラーム通知レベルのアラーム情報ＡＬを送信する。これにより、アラーム通知レベルに応じた通知先にアラーム情報ＡＬを通知することができる。なお、通知先のアドレスは、例えば、図６に示した被監視者情報ＤＢ２２０のアドレスフィールドを参照することにより特定することができる。
【０１０２】
また、監視装置１０１は、アラーム情報ＡＬが送信された場合、アラーム情報ＡＬの通知先である監視者Ｋに対応する被監視者情報ＤＢ２２０内の通知状況フィールドに「通知」を設定する。これにより、被監視者Ｍについてのアラーム情報ＡＬを誰に通知したのかを管理することができる。アラーム情報ＡＬの具体例については、図１２および図１３を用いて後述する。
【０１０３】
また、出力部１００４は、被監視者Ｍの生体情報ｖｄの欠測後に、被監視者Ｍの生体情報ｖｄが取得された場合、復帰情報ＲＮを出力することにしてもよい。復帰情報ＲＮは、被監視者Ｍの生体情報ｖｄの取得が再開されたことを示す情報である。復帰情報ＲＮには、例えば、被監視者Ｍの生体情報ｖｄの取得が再開された時刻が含まれていてもよい。
【０１０４】
具体的には、例えば、被監視者Ｍの生体情報ｖｄが取得された場合、出力部１００４は、被監視者情報ＤＢ２２０を参照して、通知状況フィールドに「通知」が設定されている監視者Ｋを特定する。そして、出力部１００４は、特定した監視者Ｋのクライアント端末１０４に復帰情報ＲＮを送信する。
【０１０５】
これにより、アラーム情報ＡＬを通知した監視者Ｋに対して、被監視者Ｍの生体情報ｖｄの取得が再開したことを報知することができる。なお、監視装置１０１は、復帰情報ＲＮが送信された場合、復帰情報ＲＮの送信先である監視者Ｋに対応する被監視者情報ＤＢ２２０内の通知状況フィールドに「−」を設定する。
【０１０６】
（監視画面の画面例）
つぎに、監視装置１０１のディスプレイ（不図示）に表示される監視画面の画面例について説明する。
【０１０７】
図１１は、監視画面の画面例を示す説明図である。図１１において、監視画面１１００は、監視システム２００において監視対象となる被監視者Ｍの監視状況を表す監視情報（例えば、監視情報１１００−１〜１１００−３）を表示する画面である。なお、「高齢者見守りシステム」は、監視システム２００のシステム名である。
【０１０８】
具体的には、監視情報は、被監視者、住所、監視者、レベルおよびメッセージを表す。被監視者は、被監視者Ｍの氏名である。住所は、被監視者Ｍの住所である。監視者は、被監視者Ｍを監視する監視者Ｋの名称（例えば、被監視者Ｍの家族の氏名、訪問看護師の病院名や氏名）である。
【０１０９】
レベルは、監視者Ｍに対して通知されたアラーム情報ＡＬのアラーム通知レベルである。監視者Ｍに対してアラーム情報ＡＬが通知されていない場合、レベルは「−」となる。メッセージは、監視者Ｍに対して通知されたアラーム情報ＡＬの内容を表す。監視者Ｍに対してアラーム情報ＡＬが通知されていない場合、メッセージは空欄となる。
【０１１０】
例えば、監視情報１１００−１によれば、監視システム２００の管理者は、被監視者Ｍ（氏名：佐藤Ａ男、住所：神奈川県横浜市・・・・）の監視者Ｋに対して、アラーム通知レベルＡのアラーム情報ＡＬが通知されていることを把握することができる。また、管理者は、監視情報１１００−１のメッセージから、被監視者Ｍの健康状態を○時間確認できていないことを把握することができる。
【０１１１】
なお、○時間は、生体情報測定装置１０２から定期的に送信される被監視者Ｍの生体情報ｖｄを連続して欠測している時間（後述する「欠測時間ｔ」）であり、生体情報ＤＢ２３０の記憶内容から算出される値である。
【０１１２】
（アラーム情報ＡＬの具体例）
つぎに、アラーム情報ＡＬの具体例について説明する。ここでは、監視者Ｋが使用するクライアント端末１０４に表示されるアラーム情報ＡＬの具体例について説明する。
【０１１３】
図１２は、緊急度低のアラーム情報ＡＬの具体例を示す説明図である。図１２において、クライアント端末１０４のディスプレイ１２００にアラーム情報ＡＬ１が表示されている。アラーム情報ＡＬ１は、被監視者Ｍの「家族」に通知されるアラーム通知レベルＢ（緊急度低）のアラーム情報ＡＬである。
【０１１４】
アラーム情報ＡＬ１によれば、被監視者Ｍの「家族」は、被監視者Ｍの健康状態が○時間確認できていないことを把握することができ、必要に応じて被監視者Ｍの状況確認を行うことができる。
【０１１５】
図１３は、緊急度高のアラーム情報ＡＬの具体例を示す説明図である。図１３において、クライアント端末１０４のディスプレイ１２００にアラーム情報ＡＬ２が表示されている。アラーム情報ＡＬ２は、被監視者Ｍの「訪問看護師」、「ホームヘルパー」、「ケアマネージャー」および「家族」に通知されるアラーム通知レベルＡ（緊急度高）のアラーム情報ＡＬである。
【０１１６】
アラーム情報ＡＬ２によれば、被監視者Ｍの「訪問看護師」、「ホームヘルパー」、「ケアマネージャー」および「家族」は、被監視者Ｍに異常が発生していることを把握することができ、被監視者Ｍの状況確認を行う必要があることを認識することができる。
【０１１７】
（監視装置１０１の監視処理手順）
つぎに、実施の形態１にかかる監視装置１０１の監視処理手順について説明する。この監視処理は、例えば、所定の時間間隔（例えば、１時間間隔）で定期的に実行される。
【０１１８】
図１４は、実施の形態１にかかる監視装置１０１の監視処理手順の一例を示すフローチャートである。図１４のフローチャートにおいて、まず、監視装置１０１は、生体情報ＤＢ２３０を参照して、生体情報測定装置１０２から定期的に送信される被監視者Ｍの生体情報ｖｄの欠測を検出したか否かを判断する（ステップＳ１４０１）。
【０１１９】
ここで、監視装置１０１は、被監視者Ｍの生体情報ｖｄの欠測を検出した場合（ステップＳ１４０１：Ｙｅｓ）、使用電力情報ＤＢ２４０を参照して、電子機器Ｅの使用電力量Ｗが変化したか否かを判断する（ステップＳ１４０２）。ここで、電子機器Ｅの使用電力量Ｗが変化した場合（ステップＳ１４０２：Ｙｅｓ）、監視装置１０１は、アラーム通知レベル情報テーブル２５０を参照して、アラーム通知レベルを「レベルＡ」に設定する（ステップＳ１４０３）。
【０１２０】
つぎに、監視装置１０１は、アラーム通知レベル情報テーブル２５０を参照して、設定した「レベルＡ」に対応する通知先を特定する（ステップＳ１４０４）。そして、監視装置１０１は、特定した通知先に「レベルＡ」のアラーム情報ＡＬを送信して（ステップＳ１４０５）、本フローチャートによる一連の処理を終了する。
【０１２１】
また、ステップＳ１４０２において、電子機器Ｅの使用電力量Ｗが変化しなかった場合（ステップＳ１４０２：Ｎｏ）、監視装置１０１は、アラーム通知レベル情報テーブル２５０を参照して、アラーム通知レベルを「レベルＢ」に設定する（ステップＳ１４０６）。
【０１２２】
つぎに、監視装置１０１は、アラーム通知レベル情報テーブル２５０を参照して、設定した「レベルＢ」に対応する通知先を特定する（ステップＳ１４０７）。そして、監視装置１０１は、特定した通知先に「レベルＢ」のアラーム情報ＡＬを送信して（ステップＳ１４０８）、本フローチャートによる一連の処理を終了する。
【０１２３】
また、ステップＳ１４０１において、監視装置１０１は、被監視者Ｍの生体情報ｖｄの欠測を検出しなかった場合（ステップＳ１４０１：Ｎｏ）、被監視者情報ＤＢ２２０を参照して、通知状況フィールドに「通知」が設定されているか否かを判断する（ステップＳ１４０９）。
【０１２４】
ここで、通知状況フィールドに「通知」が設定されている場合（ステップＳ１４０９：Ｙｅｓ）、監視装置１０１は、通知状況フィールドに「通知」が設定されている監視者Ｋを特定する（ステップＳ１４１０）。そして、監視装置１０１は、特定した監視者Ｋのクライアント端末１０４に復帰情報ＲＮを送信して（ステップＳ１４１１）、本フローチャートによる一連の処理を終了する。
【０１２５】
また、ステップＳ１４０９において、通知状況フィールドに「通知」が設定されていない場合（ステップＳ１４０９：Ｎｏ）、監視装置１０１は、本フローチャートによる一連の処理を終了する。
【０１２６】
これにより、被監視者Ｍの生体情報ｖｄを欠測し、かつ、電子機器Ｅの使用電力量Ｗが変化している場合に、緊急度高のアラーム情報ＡＬを監視者Ｋに通知することができる。また、被監視者Ｍの生体情報ｖｄを欠測し、かつ、電子機器Ｅの使用電力量Ｗが変化していない場合には、緊急度低のアラーム情報ＡＬを監視者Ｋに通知することができる。
【０１２７】
以上説明したように、実施の形態１にかかる監視装置１０１によれば、被監視者Ｍに装着される生体情報測定装置１０２により測定されて定期的に送信される被監視者Ｍの生体情報ｖｄの欠測を検出することができる。また、監視装置１０１によれば、被監視者Ｍの生体情報ｖｄを欠測した場合に、電力測定装置１０３により測定される被監視者Ｍの住居に設置された電子機器Ｅの使用電力情報ｗｄに基づいて、電子機器Ｅの使用電力量Ｗが変化しているか否かを判断することができる。また、監視装置１０１によれば、判断した判断結果に応じて異なるアラーム情報ＡＬを出力することができる。
【０１２８】
これにより、被監視者Ｍへの対応の緊急度合いに応じたアラーム情報ＡＬを監視者Ｋに通知することができる。また、監視者Ｋは、被監視者Ｍへの対応の緊急度合いを判断することができるようになり、被監視者Ｍの安否確認等にかかる負荷の増大を抑制することができる。
【０１２９】
また、監視装置１０１によれば、電子機器Ｅの使用電力量Ｗが変化した場合は、電子機器Ｅの使用電力量Ｗが変化していない場合に比べて緊急度の高いアラーム情報ＡＬを出力することができる。これにより、被監視者Ｍに何らかの異変が起きている可能性が高いと判断することができる場合に、緊急度の高いアラーム情報ＡＬを監視者Ｋに通知することができる。
【０１３０】
また、監視装置１０１によれば、被監視者Ｍの生体情報ｖｄを欠測した際の電子機器Ｅの使用電力量Ｗ１が、被監視者Ｍの生体情報ｖｄを欠測した時点と同一時間帯の前日の電子機器Ｅの使用電力量Ｗ２から変化しているか否かを判断することができる。これにより、一日の生活リズムが毎日ほぼ似ている被監視者Ｍに何らかの異変が起きている可能性を精度よく判断することができる。
【０１３１】
また、監視装置１０１によれば、被監視者Ｍの生体情報ｖｄの欠測後に、被監視者Ｍの生体情報ｖｄが取得された場合、被監視者Ｍの生体情報ｖｄの取得が再開されたことを示す復帰情報ＲＮを出力することができる。これにより、アラーム情報ＡＬを通知した監視者Ｋに、被監視者Ｍの生体情報ｖｄの取得が再開したことを報知することができる。
【０１３２】
また、監視装置１０１によれば、アラーム情報ＡＬの緊急度に応じた監視者Ｋのクライアント端末１０４にアラーム情報ＡＬを送信することができる。これにより、被監視者Ｍへの対応の緊急度合いが高くない場合に、例えば、家族以外の監視者Ｋ（訪問看護師、ホームヘルパー、ケアマネージャーなど）に対してアラーム情報ＡＬが通知されるのを防いで、家族以外の監視者Ｋの負荷の増大を抑制することができる。
【０１３３】
これらのことから、実施の形態１にかかる監視システム２００によれば、被監視者Ｍに何らかの異変が起きた際に、監視者Ｋが被監視者Ｍへの対応の緊急度合いを判断できるようになる。この結果、監視者Ｋが緊急度合いに応じた被監視者Ｍへの適切な対応を行うことができるようになり、被監視者Ｍの安否確認等にかかる監視者Ｋの負荷の増大を抑制することができる。
【０１３４】
（実施の形態２）
つぎに、実施の形態２にかかる監視装置１０１について説明する。なお、実施の形態１で説明した箇所と同一箇所については、図示および説明を省略する。
【０１３５】
実施の形態２では、監視装置１０１は、被監視者Ｍの生体情報ｖｄの欠測時間ｔ（または欠測回数ｃ）が所定時間（または所定回数）を超える場合に、電子機器Ｅの使用電力量Ｗが変化したか否かを判断する。これにより、被監視者Ｍの生体情報ｖｄを欠測した後に、被監視者Ｍの生体情報ｖｄの取得がすぐに再開される場合のアラーム通知を抑制して、監視者Ｋの負荷の増大を防ぐ。
【０１３６】
（アラーム通知レベル情報テーブル２５０の記憶内容）
まず、実施の形態２にかかるアラーム通知レベル情報テーブル２５０の記憶内容について説明する。
【０１３７】
図１５は、アラーム通知レベル情報テーブル２５０の記憶内容の一例を示す説明図（その２）である。図１５において、アラーム通知レベル情報テーブル２５０は、レベル、欠測状態、使用電力量比較および通知先のフィールドを有し、各フィールドに情報を設定することにより、アラーム通知レベル情報１５００−１〜１５００−４をレコードとして記憶する。
【０１３８】
ここで、レベルは、被監視者Ｍへの対応の緊急度合いを示すアラーム通知レベルである。欠測状態は、生体情報測定装置１０２から定期的に送信される被監視者Ｍの生体情報ｖｄを欠測している状態を示す。「欠測＞１ｈ」は、被監視者Ｍの生体情報ｖｄが１時間を超えて連続して欠測していることを示す。
【０１３９】
使用電力量比較は、電子機器Ｅの使用電力量Ｗ１が電子機器Ｅの使用電力量Ｗ２から変化しているか否かを示す。通知先は、アラーム情報ＡＬの通知先である。例えば、アラーム通知レベル情報１５００−１は、欠測状態「欠測＞１ｈ」かつ使用電力量比較「変化あり」の場合に、「レベルＡ」のアラーム情報ＡＬを、「訪問看護師」、「ホームヘルパー」、「ケアマネージャー」および「家族」に通知することを示す。
【０１４０】
（監視装置１０１の機能的構成例）
つぎに、実施の形態２にかかる監視装置１０１の機能的構成例について説明する。ここでは、実施の形態１にかかる監視装置１０１と異なる機能について説明する。
【０１４１】
図１６は、実施の形態２にかかる監視装置１０１の機能的構成例を示すブロック図である。図１６において、監視装置１０１は、取得部１００１と、検出部１００２と、判断部１００３と、出力部１００４と、欠測判定部１６０１と、を含む構成である。各機能部は、具体的には、例えば、図３に示したメモリ３０２、磁気ディスク３０５などの記憶装置に記憶されたプログラムをＣＰＵ３０１に実行させることにより、または、Ｉ／Ｆ３０３により、その機能を実現する。各機能部の処理結果は、例えば、メモリ３０２、磁気ディスク３０５などの記憶装置に記憶される。
【０１４２】
欠測判定部１６０１は、被監視者Ｍの生体情報ｖｄの欠測時間ｔまたは欠測回数ｃが、欠測監視時間Ｔまたは欠測監視回数Ｃを超えるか否かを判定する機能を有する。ここで、欠測時間ｔとは、生体情報測定装置１０２から定期的に送信される被監視者Ｍの生体情報ｖｄを連続して欠測している時間である。また、欠測監視時間Ｔとは、被監視者Ｍの生体情報ｖｄの欠測時間ｔと比較する所定時間である。欠測監視時間Ｔは、任意に設定可能であり、例えば、１時間や２時間程度に設定される。
【０１４３】
また、欠測回数ｃとは、生体情報測定装置１０２から定期的に送信される被監視者Ｍの生体情報ｖｄを連続して欠測している回数である。欠測監視回数Ｃとは、被監視者Ｍの生体情報ｖｄの欠測回数ｃと比較する所定回数である。欠測監視回数Ｃは、任意に設定可能であり、例えば、被監視者Ｍの生体情報ｖｄの送信間隔が１時間の場合、１回や２回程度に設定される。
【０１４４】
一例として、欠測監視時間Ｔを「１ｈ」とし、欠測監視回数Ｃを「１回」とする。まず、欠測判定部１６０１は、例えば、生体情報ＤＢ２３０を参照して、被監視者Ｍの生体情報ｖｄの欠測時間ｔまたは欠測回数ｃを算出する。図７の例では、例えば、「４月２日１４時００分」の時点では、欠測時間ｔは「２ｈ」となり、欠測回数ｃは「２回」となる。この場合、欠測判定部１６０１は、被監視者Ｍの生体情報ｖｄの欠測時間ｔまたは欠測回数ｃが、欠測監視時間Ｔまたは欠測監視回数Ｃを超えると判定する。
【０１４５】
判断部１００３は、欠測判定部１６０１によって欠測時間ｔまたは欠測回数ｃが欠測監視時間Ｔまたは欠測監視回数Ｃを超えると判定された場合に、電子機器Ｅの使用電力量Ｗ１が、電子機器Ｅの使用電力量Ｗ２から変化しているか否かを判断する。なお、以下の説明では、欠測判定部１６０１の処理内容として、被監視者Ｍの生体情報ｖｄの欠測時間ｔが欠測監視時間Ｔを超えるか否かを判定する場合を例に挙げて説明する。
【０１４６】
一例として、欠測日を「４月２日」とし、欠測時刻を「１４時００分」とする。また、電子機器Ｅの使用電力量Ｗ２を、欠測日前日の欠測時刻と同一時刻の使用電力量Ｗとする。また、欠測監視時間Ｔを「１ｈ」とする。この場合、上述したように、「４月２日１４時００分」の時点では、欠測時間ｔが「２ｈ」となり、欠測時間ｔが欠測監視時間Ｔを超えるため、判断部１００３は、電子機器Ｅの使用電力量Ｗが変化しているか否かを判断する。
【０１４７】
図８の例では、欠測日「４月２日」の欠測時刻「１４時００分」の電子機器Ｅの使用電力量Ｗ１は「５０［Ｗ］」である。また、欠測日前日「４月１日」の欠測時刻と同一時刻「１４時００分」の電子機器Ｅの使用電力量Ｗ２は「０［Ｗ］」である。この場合、判断部１００３は、電子機器Ｅの使用電力量Ｗ１が、電子機器Ｅの使用電力量Ｗ２から変化していると判断する。
【０１４８】
また、出力部１００４は、例えば、図１５に示したアラーム通知レベル情報テーブル２５０を参照して、アラーム情報ＡＬの緊急度合いに応じた監視者Ｋのクライアント端末１０４にアラーム情報ＡＬを送信する。具体的には、例えば、まず、出力部１００４は、アラーム通知レベル情報テーブル２５０を参照して、アラーム情報ＡＬのアラーム通知レベルを設定する。
【０１４９】
図１５の例では、出力部１００４は、欠測状態が「欠測＞１ｈ」かつ使用電力量比較が「変化あり」の場合に、アラーム通知レベルを「レベルＡ（緊急度高）」に設定する。また、出力部１００４は、欠測状態が「欠測＞１ｈ」かつ使用電力量比較が「変化なし」の場合に、アラーム通知レベルを「レベルＢ１（緊急度中）」に設定する。また、出力部１００４は、欠測状態が「欠測≦１ｈ」の場合に、アラーム通知レベルを「レベルＢ２（緊急度低）」に設定する。
【０１５０】
つぎに、出力部１００４は、アラーム通知レベル情報テーブル２５０（図１５参照）を参照して、設定したアラーム通知レベルに対応する通知先を特定する。図１５の例では、「レベルＡ」の場合は、アラーム情報ＡＬの通知先として、「訪問看護師」、「ホームヘルパー」、「ケアマネージャー」および「家族」が特定される。また、「レベルＢ１，Ｂ２」の場合は、アラーム情報ＡＬの通知先として、「家族」が特定される。
【０１５１】
そして、出力部１００４は、特定した通知先のクライアント端末１０４に、設定したアラーム通知レベルのアラーム情報ＡＬを送信する。これにより、アラーム通知レベルに応じた通知先にアラーム情報ＡＬを通知することができる。
【０１５２】
（アラーム情報ＡＬの具体例）
つぎに、アラーム通知レベルＢ１のアラーム情報ＡＬの具体例について説明する。なお、アラーム通知レベルＡのアラーム情報ＡＬの具体例については、図１３に示したアラーム情報ＡＬ２と同様のため説明を省略する。また、アラーム通知レベルＢ２のアラーム情報ＡＬの具体例については、図１２に示したアラーム情報ＡＬ１と同様のため説明を省略する。
【０１５３】
図１７は、緊急度中のアラーム情報ＡＬの具体例を示す説明図である。図１７において、クライアント端末１０４のディスプレイ１２００にアラーム情報ＡＬ３が表示されている。アラーム情報ＡＬ３は、被監視者Ｍの「家族」に通知されるアラーム通知レベルＢ１（緊急度中）のアラーム情報ＡＬである。
【０１５４】
アラーム情報ＡＬ３によれば、被監視者Ｍの「家族」は、被監視者Ｍの健康状態が○時間確認できていないこととともに、電子機器Ｅの使用電力量に異常が発生していることを把握することができ、必要に応じて被監視者Ｍの状況確認を行うことができる。
【０１５５】
（監視装置１０１の監視処理手順）
つぎに、実施の形態２にかかる監視装置１０１の監視処理手順について説明する。この監視処理は、例えば、所定の時間間隔（例えば、１時間間隔）で定期的に実行される。
【０１５６】
図１８は、実施の形態２にかかる監視装置１０１の監視処理手順の一例を示すフローチャートである。図１８のフローチャートにおいて、まず、監視装置１０１は、生体情報ＤＢ２３０を参照して、生体情報測定装置１０２から定期的に送信される被監視者Ｍの生体情報ｖｄの欠測を検出したか否かを判断する（ステップＳ１８０１）。
【０１５７】
ここで、監視装置１０１は、被監視者Ｍの生体情報ｖｄの欠測を検出した場合（ステップＳ１８０１：Ｙｅｓ）、生体情報ＤＢ２３０を参照して、被監視者Ｍの生体情報ｖｄの欠測時間ｔを算出する（ステップＳ１８０２）。つぎに、監視装置１０１は、算出した欠測時間ｔが欠測監視時間Ｔを超えるか否かを判定する（ステップＳ１８０３）。
【０１５８】
ここで、欠測時間ｔが欠測監視時間Ｔを超える場合（ステップＳ１８０３：Ｙｅｓ）、監視装置１０１は、使用電力情報ＤＢ２４０を参照して、電子機器Ｅの使用電力量Ｗが変化したか否かを判断する（ステップＳ１８０４）。ここで、電子機器Ｅの使用電力量Ｗが変化した場合（ステップＳ１８０４：Ｙｅｓ）、監視装置１０１は、アラーム通知レベル情報テーブル２５０（図１５）を参照して、アラーム通知レベルを「レベルＡ」に設定する（ステップＳ１８０５）。
【０１５９】
つぎに、監視装置１０１は、アラーム通知レベル情報テーブル２５０（図１５）を参照して、設定した「レベルＡ」に対応する通知先を特定する（ステップＳ１８０６）。そして、監視装置１０１は、特定した通知先に「レベルＡ」のアラーム情報ＡＬを送信して（ステップＳ１８０７）、本フローチャートによる一連の処理を終了する。
【０１６０】
また、ステップＳ１８０４において、電子機器Ｅの使用電力量Ｗが変化しなかった場合（ステップＳ１８０４：Ｎｏ）、監視装置１０１は、アラーム通知レベル情報テーブル２５０（図１５）を参照して、アラーム通知レベルを「レベルＢ１」に設定する（ステップＳ１８０８）。
【０１６１】
つぎに、監視装置１０１は、アラーム通知レベル情報テーブル２５０（図１５）を参照して、設定した「レベルＢ１」に対応する通知先を特定する（ステップＳ１８０９）。そして、監視装置１０１は、特定した通知先に「レベルＢ１」のアラーム情報ＡＬを送信して（ステップＳ１８１０）、本フローチャートによる一連の処理を終了する。
【０１６２】
また、ステップＳ１８０３において、欠測時間ｔが欠測監視時間Ｔ以下の場合（ステップＳ１８０３：Ｎｏ）、監視装置１０１は、アラーム通知レベル情報テーブル２５０（図１５）を参照して、アラーム通知レベルを「レベルＢ２」に設定する（ステップＳ１８１１）。
【０１６３】
つぎに、監視装置１０１は、アラーム通知レベル情報テーブル２５０（図１５）を参照して、設定した「レベルＢ２」に対応する通知先を特定する（ステップＳ１８１２）。そして、監視装置１０１は、特定した通知先に「レベルＢ２」のアラーム情報ＡＬを送信して（ステップＳ１８１３）、本フローチャートによる一連の処理を終了する。
【０１６４】
また、ステップＳ１８０１において、監視装置１０１は、被監視者Ｍの生体情報ｖｄの欠測を検出しなかった場合（ステップＳ１８０１：Ｎｏ）、被監視者情報ＤＢ２２０を参照して、通知状況フィールドに「通知」が設定されているか否かを判断する（ステップＳ１８１４）。
【０１６５】
ここで、通知状況フィールドに「通知」が設定されている場合（ステップＳ１８１４：Ｙｅｓ）、監視装置１０１は、通知状況フィールドに「通知」が設定されている監視者Ｋを特定する（ステップＳ１８１５）。そして、監視装置１０１は、特定した監視者Ｋのクライアント端末１０４に復帰情報ＲＮを送信して（ステップＳ１８１６）、本フローチャートによる一連の処理を終了する。
【０１６６】
また、ステップＳ１８１４において、通知状況フィールドに「通知」が設定されていない場合（ステップＳ１８１４：Ｎｏ）、監視装置１０１は、本フローチャートによる一連の処理を終了する。
【０１６７】
これにより、被監視者Ｍの生体情報ｖｄの欠測時間ｔが欠測監視時間Ｔを超え、かつ、電子機器Ｅの使用電力量Ｗが変化している場合に、緊急度高のアラーム情報ＡＬを監視者Ｋに通知することができる。また、被監視者Ｍの生体情報ｖｄの欠測時間ｔが欠測監視時間Ｔを超え、かつ、電子機器Ｅの使用電力量Ｗが変化していない場合には、緊急度中のアラーム情報ＡＬを監視者Ｋに通知することができる。また、被監視者Ｍの生体情報ｖｄの欠測時間ｔが欠測監視時間Ｔ以下の場合には、緊急度低のアラーム情報ＡＬを監視者Ｋに通知することができる。
【０１６８】
なお、上述した説明では、監視装置１０１は、被監視者Ｍの生体情報ｖｄの欠測を検出するたびに、電子機器Ｅの使用電力量Ｗの変化を判断することにしたが、これに限らない。例えば、監視装置１０１は、例えば、被監視者Ｍの生体情報ｖｄの欠測３回に対して、電子機器Ｅの使用電力量Ｗの変化を１回判断することにしてもよい。
【０１６９】
以上説明したように、実施の形態２にかかる監視装置１０１によれば、被監視者Ｍの生体情報ｖｄの欠測時間ｔが欠測監視時間Ｔを超えた場合に、電子機器Ｅの使用電力量Ｗが変化しているか否かを判断することができる。これにより、被監視者Ｍの生体情報ｖｄの欠測時間ｔが欠測監視時間Ｔを超えるまでの間は、何らかの要因により欠測となっている生体情報ｖｄの取得が再開されるのを待つことができる。この結果、監視者Ｋに対する過剰なアラームを抑制して、被監視者Ｍの安否確認等にかかる監視者Ｋの負荷を軽減させることができる。
【０１７０】
具体的には、例えば、欠測時間ｔが欠測監視時間Ｔを超える前に、生体情報測定装置１０２の電力が充電されて電力不足が解消されると、生体情報ｖｄの取得が再開されて、監視者Ｋに対する過剰なアラームを抑制することができる。また、例えば、欠測時間ｔが欠測監視時間Ｔを超える前に、被監視者Ｍが、生体情報測定装置１０２の電波が中継装置２０１に届きにくい場所から移動すると、生体情報ｖｄの取得が再開されて、監視者Ｋに対する過剰なアラームを抑制することができる。また、例えば、欠測時間ｔが欠測監視時間Ｔを超える前に、被監視者Ｍが生体情報測定装置１０２の装着忘れに気付いて装着した場合には、生体情報ｖｄの取得が再開されて、監視者Ｋに対する過剰なアラームを抑制することができる。
【０１７１】
（実施の形態３）
つぎに、実施の形態３にかかる監視装置１０１について説明する。なお、実施の形態１，２で説明した箇所と同一箇所については、図示および説明を省略する。
【０１７２】
ここで、被監視者Ｍの生活状況によっては、被監視者Ｍに何らかの異変が起きていなくても、被監視者Ｍの生体情報ｖｄの欠測前後における電子機器Ｅの使用電力量Ｗが変化する場合がある。一方、被監視者Ｍに異変が起きていない場合に、緊急度の高いアラーム情報ＡＬを監視者Ｋに通知すると、被監視者Ｍの安否確認等の監視者Ｋの無駄な負荷が増大してしまう。
【０１７３】
そこで、実施の形態３では、監視装置１０１は、被監視者Ｍの生体情報ｖｄを欠測中に、電子機器Ｅの使用電力量Ｗが変化した回数を計数し、計数した回数が閾値以上となった場合に、アラーム通知レベルＡのアラーム情報ＡＬを出力する、これにより、監視者Ｋに対する緊急度高のアラーム通知の精度を向上させる。
【０１７４】
（アラーム通知レベル情報テーブル２５０の記憶内容）
まず、実施の形態３にかかるアラーム通知レベル情報テーブル２５０の記憶内容について説明する。
【０１７５】
図１９は、アラーム通知レベル情報テーブル２５０の記憶内容の一例を示す説明図（その３）である。図１９において、アラーム通知レベル情報テーブル２５０は、レベル、欠測状態、使用電力量比較異常回数および通知先のフィールドを有し、各フィールドに情報を設定することにより、アラーム通知レベル情報１９００−１〜１９００−５をレコードとして記憶する。
【０１７６】
ここで、レベルは、被監視者Ｍへの対応の緊急度合いを示すアラーム通知レベルである。欠測状態は、生体情報測定装置１０２から定期的に送信される被監視者Ｍの生体情報ｖｄを欠測している状態を示す。「欠測＞１ｈ」は、被監視者Ｍの生体情報ｖｄが１時間（欠測監視時間Ｔ）を超えて連続して欠測していることを示す。
【０１７７】
使用電力量比較異常回数は、被監視者Ｍの生体情報ｖｄを欠測中に、電子機器Ｅの使用電力量Ｗ１が電子機器Ｅの使用電力量Ｗ２から変化した回数を示す。通知先は、アラーム情報ＡＬの通知先である。例えば、アラーム通知レベル情報１９００−１は、欠測状態「欠測＞１ｈ」かつ使用電力量比較異常回数が「２回以上」の場合に、「レベルＡ」のアラーム情報ＡＬを、「訪問看護師」、「ホームヘルパー」、「ケアマネージャー」および「家族」に通知することを示す。
【０１７８】
（監視装置１０１の機能的構成例）
つぎに、実施の形態３にかかる監視装置１０１の機能的構成例について説明する。ここでは、実施の形態１，２にかかる監視装置１０１と異なる機能について説明する。
【０１７９】
図２０は、実施の形態３にかかる監視装置１０１の機能的構成例を示すブロック図である。図２０において、監視装置１０１は、取得部１００１と、検出部１００２と、判断部１００３と、出力部１００４と、欠測判定部１６０１と、異常判定部２００１と、を含む構成である。各機能部は、具体的には、例えば、図３に示したメモリ３０２、磁気ディスク３０５などの記憶装置に記憶されたプログラムをＣＰＵ３０１に実行させることにより、または、Ｉ／Ｆ３０３により、その機能を実現する。各機能部の処理結果は、例えば、メモリ３０２、磁気ディスク３０５などの記憶装置に記憶される。
【０１８０】
判断部１００３は、被監視者Ｍの生体情報ｖｄの欠測が検出された場合、電子機器Ｅの使用電力量Ｗが変化したか否かを判断する。具体的には、例えば、判断部１００３は、欠測判定部１６０１によって欠測時間ｔが欠測監視時間Ｔを超えると判定された場合に、電子機器Ｅの使用電力量Ｗ１が、電子機器Ｅの使用電力量Ｗ２から変化しているか否かを判断する。
【０１８１】
異常判定部２００１は、被監視者Ｍの生体情報ｖｄを欠測中に、判断部１００３によって電子機器Ｅの使用電力量Ｗが変化したと判断された回数が閾値Ｎth以上となったか否かを判定する機能を有する。以下の説明では、被監視者Ｍの生体情報ｖｄを欠測中に電子機器Ｅの使用電力量Ｗが変化したと判断された回数を「使用電力量比較異常回数Ｎ」と表記する場合がある。
【０１８２】
具体的には、例えば、まず、異常判定部２００１は、被監視者Ｍの生体情報ｖｄを欠測中に、電子機器Ｅの使用電力量Ｗが変化したと判断された場合に、使用電力量比較異常回数Ｎをインクリメントする。そして、異常判定部２００１は、使用電力量比較異常回数Ｎが閾値Ｎth以上となったか否かを判定する。なお、閾値Ｎthは、任意に設定可能であり、例えば、２〜４回程度の値に設定される。また、使用電力量比較異常回数Ｎの初期値は「０」である。
【０１８３】
また、出力部１００４は、異常判定部２００１によって判定された判定結果に応じて異なるアラーム情報ＡＬを出力する機能を有する。具体的には、例えば、出力部１００４は、図１９に示したアラーム通知レベル情報テーブル２５０を参照して、アラーム情報ＡＬの緊急度に応じた監視者Ｋのクライアント端末１０４にアラーム情報ＡＬを送信する。
【０１８４】
より具体的には、例えば、まず、出力部１００４は、アラーム通知レベル情報テーブル２５０を参照して、アラーム情報ＡＬのアラーム通知レベルを設定する。図１９の例では、出力部１００４は、欠測状態が「欠測＞１ｈ」かつ使用電力量比較異常回数Ｎが「２回以上」の場合に、アラーム通知レベルを「レベルＡ（緊急度高）」に設定する。また、出力部１００４は、欠測状態が「欠測＞１ｈ」かつ使用電力量比較異常回数Ｎが「１回」の場合に、アラーム通知レベルを「レベルＢ１（緊急度中）」に設定する。
【０１８５】
また、出力部１００４は、欠測状態が「欠測＞１ｈ」かつ使用電力量比較異常回数Ｎが「０回」の場合に、アラーム通知レベルを「レベルＢ２（緊急度低）」に設定する。また、出力部１００４は、欠測状態が「欠測≦１ｈ」の場合に、アラーム通知レベルを「レベルＢ２（緊急度低）」に設定する。
【０１８６】
つぎに、出力部１００４は、アラーム通知レベル情報テーブル２５０（図１９参照）を参照して、設定したアラーム通知レベルに対応する通知先を特定する。図１９の例では、「レベルＡ」の場合は、アラーム情報ＡＬの通知先として、「訪問看護師」、「ホームヘルパー」、「ケアマネージャー」および「家族」が特定される。また、「レベルＢ１，Ｂ２」の場合は、アラーム情報ＡＬの通知先として、「家族」が特定される。
【０１８７】
そして、出力部１００４は、特定した通知先のクライアント端末１０４に、設定したアラーム通知レベルのアラーム情報ＡＬを送信する。これにより、アラーム通知レベルに応じた通知先にアラーム情報ＡＬを通知することができる。
【０１８８】
また、異常判定部２００１は、被監視者Ｍの住居に設置された複数の電子機器Ｅのうち、使用電力量比較異常回数Ｎが閾値Ｎth以上となった電子機器Ｅの台数Ｍが閾値Ｍth以上となったか否かを判定することにしてもよい。なお、閾値Ｍthは、任意に設定可能であり、例えば、２〜４台程度の値に設定される。
【０１８９】
また、出力部１００４は、使用電力量比較異常回数Ｎが閾値Ｎth以上となった電子機器Ｅの台数Ｍが閾値Ｍth以上となったと判定された場合に、アラーム通知レベルＡ（緊急度高）のアラーム情報ＡＬを出力することにしてもよい。これにより、被監視者Ｍに何らかの異変が起きていなくても、ある電子機器Ｅの使用電力量比較異常回数Ｎがたまたま閾値Ｎth以上となって、緊急度高のアラーム情報ＡＬが監視者Ｋに通知されるのを防ぐことができる。
【０１９０】
（監視装置１０１の監視処理手順）
つぎに、実施の形態３にかかる監視装置１０１の監視処理手順について説明する。この監視処理は、例えば、所定の時間間隔（例えば、１時間間隔）で定期的に実行される。
【０１９１】
図２１および図２２は、実施の形態３にかかる監視装置１０１の監視処理手順の一例を示すフローチャートである。図２１のフローチャートにおいて、まず、監視装置１０１は、生体情報ＤＢ２３０を参照して、生体情報測定装置１０２から定期的に送信される被監視者Ｍの生体情報ｖｄの欠測を検出したか否かを判断する（ステップＳ２１０１）。
【０１９２】
ここで、監視装置１０１は、被監視者Ｍの生体情報ｖｄの欠測を検出した場合（ステップＳ２１０１：Ｙｅｓ）、生体情報ＤＢ２３０を参照して、被監視者Ｍの生体情報ｖｄの欠測時間ｔを算出する（ステップＳ２１０２）。つぎに、監視装置１０１は、算出した欠測時間ｔが欠測監視時間Ｔを超えるか否かを判定する（ステップＳ２１０３）。
【０１９３】
ここで、欠測時間ｔが欠測監視時間Ｔを超える場合（ステップＳ２１０３：Ｙｅｓ）、監視装置１０１は、使用電力情報ＤＢ２４０を参照して、電子機器Ｅの使用電力量Ｗが変化したか否かを判断する（ステップＳ２１０４）。ここで、電子機器Ｅの使用電力量Ｗが変化した場合（ステップＳ２１０４：Ｙｅｓ）、監視装置１０１は、電子機器Ｅの使用電力量比較異常回数Ｎをインクリメントする（ステップＳ２１０５）。
【０１９４】
そして、監視装置１０１は、電子機器Ｅの使用電力量比較異常回数Ｎが閾値Ｎth以上となったか否かを判定する（ステップＳ２１０６）。ここで、使用電力量比較異常回数Ｎが閾値Ｎth以上の場合（ステップＳ２１０６：Ｙｅｓ）、監視装置１０１は、アラーム通知レベル情報テーブル２５０（図１９）を参照して、アラーム通知レベルを「レベルＡ」に設定する（ステップＳ２１０７）。
【０１９５】
つぎに、監視装置１０１は、アラーム通知レベル情報テーブル２５０（図１９）を参照して、設定した「レベルＡ」に対応する通知先を特定する（ステップＳ２１０８）。そして、監視装置１０１は、特定した通知先に「レベルＡ」のアラーム情報ＡＬを送信して（ステップＳ２１０９）、本フローチャートによる一連の処理を終了する。
【０１９６】
また、ステップＳ２１０６において、使用電力量比較異常回数Ｎが閾値Ｎth未満の場合（ステップＳ２１０６：Ｎｏ）、監視装置１０１は、アラーム通知レベル情報テーブル２５０（図１９）を参照して、アラーム通知レベルを「レベルＢ１」に設定する（ステップＳ２１１０）。
【０１９７】
つぎに、監視装置１０１は、アラーム通知レベル情報テーブル２５０（図１９）を参照して、設定した「レベルＢ１」に対応する通知先を特定する（ステップＳ２１１１）。そして、監視装置１０１は、特定した通知先に「レベルＢ１」のアラーム情報ＡＬを送信して（ステップＳ２１１２）、本フローチャートによる一連の処理を終了する。
【０１９８】
また、ステップＳ２１０４において、電子機器Ｅの使用電力量Ｗが変化しなかった場合（ステップＳ２１０４：Ｎｏ）、監視装置１０１は、アラーム通知レベル情報テーブル２５０（図１９）を参照して、アラーム通知レベルを「レベルＢ２」に設定する（ステップＳ２１１３）。
【０１９９】
つぎに、監視装置１０１は、アラーム通知レベル情報テーブル２５０（図１９）を参照して、設定した「レベルＢ２」に対応する通知先を特定する（ステップＳ２１１４）。そして、監視装置１０１は、特定した通知先に「レベルＢ２」のアラーム情報ＡＬを送信して（ステップＳ２１１５）、本フローチャートによる一連の処理を終了する。
【０２００】
また、ステップＳ２１０３において、欠測時間ｔが欠測監視時間Ｔ以下の場合（ステップＳ２１０３：Ｎｏ）、監視装置１０１は、アラーム通知レベル情報テーブル２５０（図１９）を参照して、アラーム通知レベルを「レベルＢ２」に設定する（ステップＳ２１１６）。
【０２０１】
つぎに、監視装置１０１は、アラーム通知レベル情報テーブル２５０（図１９）を参照して、設定した「レベルＢ２」に対応する通知先を特定する（ステップＳ２１１７）。そして、監視装置１０１は、特定した通知先に「レベルＢ２」のアラーム情報ＡＬを送信して（ステップＳ２１１８）、本フローチャートによる一連の処理を終了する。
【０２０２】
また、ステップＳ２１０１において、監視装置１０１は、被監視者Ｍの生体情報ｖｄの欠測を検出しなかった場合（ステップＳ２１０１：Ｎｏ）、図２２に示すステップＳ２２０１に移行する。
【０２０３】
図２２のフローチャートにおいて、まず、監視装置１０１は、被監視者情報ＤＢ２２０を参照して、通知状況フィールドに「通知」が設定されているか否かを判断する（ステップＳ２２０１）。
【０２０４】
ここで、通知状況フィールドに「通知」が設定されている場合（ステップＳ２２０１：Ｙｅｓ）、監視装置１０１は、通知状況フィールドに「通知」が設定されている監視者Ｋを特定する（ステップＳ２２０２）。そして、監視装置１０１は、特定した監視者Ｋのクライアント端末１０４に復帰情報ＲＮを送信する（ステップＳ２２０３）。
【０２０５】
つぎに、監視装置１０１は、使用電力量比較異常回数Ｎを「Ｎ＝０」で初期化して（ステップＳ２２０４）、本フローチャートによる一連の処理を終了する。また、ステップＳ２２０１において、通知状況フィールドに「通知」が設定されていない場合（ステップＳ２２０１：Ｎｏ）、監視装置１０１は、本フローチャートによる一連の処理を終了する。
【０２０６】
なお、ステップＳ２１１３において、アラーム通知レベルが「レベルＢ２」に設定済みの場合は、監視装置１０１は、アラーム通知レベルを「レベルＢ２」に設定する処理を省略することにしてもよい。また、ステップＳ２１１３において、アラーム通知レベルが「レベルＢ２」よりも緊急度合いの高いアラーム通知レベル（レベルＡまたはレベルＢ１）が設定されている場合は、監視装置１０１は、アラーム通知レベルの変更は行わない。
【０２０７】
これにより、被監視者Ｍの生体情報ｖｄの欠測時間ｔが欠測監視時間Ｔを超え、かつ、使用電力量比較異常回数Ｎが閾値Ｎth以上の場合に、緊急度高のアラーム情報ＡＬを監視者Ｋに通知することができる。また、被監視者Ｍの生体情報ｖｄの欠測時間ｔが欠測監視時間Ｔを超え、かつ、使用電力量比較異常回数Ｎが１回以上閾値Ｎth未満の場合には、緊急度中のアラーム情報ＡＬを監視者Ｋに通知することができる。
【０２０８】
また、被監視者Ｍの生体情報ｖｄの欠測時間ｔが欠測監視時間Ｔを超え、かつ、使用電力量比較異常回数Ｎが０回の場合には、緊急度低のアラーム情報ＡＬを監視者Ｋに通知することができる。また、被監視者Ｍの生体情報ｖｄの欠測時間ｔが欠測監視時間Ｔ以下の場合には、緊急度低のアラーム情報ＡＬを監視者Ｋに通知することができる。
【０２０９】
以上説明したように、実施の形態３にかかる監視装置１０１によれば、被監視者Ｍの生体情報ｖｄを欠測中に電子機器Ｅの使用電力量Ｗが変化した使用電力量比較異常回数Ｎが閾値Ｎth以上となったか否かを判定することができる。また、監視装置１０１によれば、判定した判定結果に応じて異なるアラーム情報ＡＬを出力することができる。
【０２１０】
これにより、監視者Ｋに対する緊急度高のアラーム通知の精度を向上させて、被監視者Ｍの安否確認等にかかる監視者Ｋの無駄な負荷の増大を抑制することができる。具体的には、例えば、被監視者Ｍに異変が起きていないときに、たまたま電子機器Ｅの使用電力量Ｗが変化しても、緊急度の高いアラーム情報ＡＬが監視者Ｋに通知されるのを防ぐことができる。
【０２１１】
また、監視装置１０１によれば、被監視者Ｍの住居に設置された複数の電子機器Ｅのうち、使用電力量比較異常回数Ｎが閾値Ｎth以上となった電子機器Ｅの台数Ｍが閾値Ｍth以上となったか否かを判定することができる。また、監視装置１０１によれば、使用電力量比較異常回数Ｎが閾値Ｎth以上となった電子機器Ｅの台数Ｍが閾値Ｍth以上となった場合に、アラーム通知レベルＡ（緊急度高）のアラーム情報ＡＬを出力することができる。これにより、被監視者Ｍに異変が起きていないときに、ある電子機器Ｅの使用電力量比較異常回数Ｎがたまたま閾値Ｎth以上となっても、緊急度高のアラーム情報ＡＬが監視者Ｋに通知されるのを防ぐことができる。
【０２１２】
なお、本実施の形態で説明した監視方法は、予め用意されたプログラムをパーソナル・コンピュータやワークステーション等のコンピュータで実行することにより実現することができる。本監視プログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。また、本監視プログラムは、インターネット等のネットワークを介して配布してもよい。
【０２１３】
上述した実施の形態に関し、さらに以下の付記を開示する。
【０２１４】
（付記１）被監視者の生体情報を測定して定期的に送信する生体情報測定装置と、
前記被監視者の住居に設置された電子機器の使用電力情報を測定する電力測定装置と、
前記被監視者の生体情報を欠測した場合、前記電力測定装置により測定された前記電子機器の使用電力情報に基づいて、前記被監視者の生体情報を欠測した際の前記電子機器の使用電力量が、前記被監視者の生体情報を欠測する前の前記電子機器の使用電力量から変化しているか否かを判断する判断部と、前記判断部によって判断された判断結果に応じて異なるアラーム情報を出力する出力部と、を有する監視装置と、
を含むことを特徴とする監視システム。
【０２１５】
（付記２）前記監視装置は、
前記被監視者の生体情報の欠測時間または欠測回数が所定時間または所定回数を超えるか否かを判定する第１の判定部を有し、
前記判断部は、
前記第１の判定部によって前記欠測時間または前記欠測回数が前記所定時間または前記所定回数を超えると判定された場合に、前記被監視者の生体情報を欠測した際の前記電子機器の使用電力量が、前記被監視者の生体情報を欠測する前の前記電子機器の使用電力量から変化しているか否かを判断することを特徴とする付記１に記載の監視システム。
【０２１６】
（付記３）前記出力部は、
前記電子機器の使用電力量が変化したと判断された場合、前記電子機器の使用電力量が変化していないと判断された場合に比べて緊急度の高いアラーム情報を出力することを特徴とする付記１または２に記載の監視システム。
【０２１７】
（付記４）前記判断部は、
前記被監視者の生体情報を欠測した際の前記電子機器の使用電力量が、前記被監視者の生体情報を欠測した時点と同一時間帯の前日の前記電子機器の使用電力量から変化しているか否かを判断することを特徴とする付記１〜３のいずれか一つに記載の監視システム。
【０２１８】
（付記５）前記監視装置は、
前記被監視者の生体情報を欠測中に、前記判断部によって前記電子機器の使用電力量が変化したと判断された回数が閾値以上となったか否かを判定する第２の判定部を有し、
前記出力部は、
前記第２の判定部によって判定された判定結果に応じて異なるアラーム情報を出力することを特徴とする付記１〜４のいずれか一つに記載の監視システム。
【０２１９】
（付記６）前記出力部は、
前記被監視者の生体情報の欠測後に、前記被監視者の生体情報が取得された場合、前記被監視者の生体情報の取得が再開されたことを示す復帰情報を出力することを特徴とする付記１〜５のいずれか一つに記載の監視システム。
【０２２０】
（付記７）前記出力部は、
前記アラーム情報の緊急度に応じた監視者の端末装置に前記アラーム情報を送信することを特徴とする付記１〜６のいずれか一つに記載の監視システム。
【０２２１】
（付記８）前記生体情報は、前記被監視者の体温、心拍、血圧のうちの少なくともいずれかの情報であることを特徴とする付記１〜７のいずれか一つに記載の監視システム。
【０２２２】
（付記９）前記第２の判定部は、
前記被監視者の住居に設置された複数の電子機器のうち、前記回数が閾値以上となった電子機器の数が所定数以上となったか否かを判定することを特徴とする付記５に記載の監視システム。
【０２２３】
（付記１０）前記生体情報測定装置は、前記生体情報測定装置が置かれた環境に応じて得られるエネルギーを用いて発電される電力により動作することを特徴とする付記１〜９のいずれか一つに記載の監視システム。
【０２２４】
（付記１１）被監視者の生体情報を測定する生体情報測定装置から定期的に送信される前記被監視者の生体情報を欠測した場合、前記被監視者の住居に設置された電子機器の使用電力情報を測定する電力測定装置により測定された前記電子機器の使用電力情報に基づいて、前記被監視者の生体情報を欠測した際の前記電子機器の使用電力量が、前記被監視者の生体情報を欠測する前の前記電子機器の使用電力量から変化しているか否かを判断する判断部と、
前記判断部によって判断された判断結果に応じて異なるアラーム情報を出力する出力部と、
を有することを特徴とする監視装置。
【０２２５】
（付記１２）コンピュータが、
被監視者の生体情報を測定する生体情報測定装置から定期的に送信される前記被監視者の生体情報を欠測した場合、前記被監視者の住居に設置された電子機器の使用電力情報を測定する電力測定装置により測定された前記電子機器の使用電力情報に基づいて、前記被監視者の生体情報を欠測した際の前記電子機器の使用電力量が、前記被監視者の生体情報を欠測する前の前記電子機器の使用電力量から変化しているか否かを判断し、
判断した判断結果に応じて異なるアラーム情報を出力する、
処理を実行することを特徴とする監視方法。
【０２２６】
（付記１３）コンピュータに、
被監視者の生体情報を測定する生体情報測定装置から定期的に送信される前記被監視者の生体情報を欠測した場合、前記被監視者の住居に設置された電子機器の使用電力情報を測定する電力測定装置により測定された前記電子機器の使用電力情報に基づいて、前記被監視者の生体情報を欠測した際の前記電子機器の使用電力量が、前記被監視者の生体情報を欠測する前の前記電子機器の使用電力量から変化しているか否かを判断し、
判断した判断結果に応じて異なるアラーム情報を出力する、
処理を実行させることを特徴とする監視プログラム。
【０２２７】
（付記１４）コンピュータに、
被監視者の生体情報を測定する生体情報測定装置から定期的に送信される前記被監視者の生体情報を欠測した場合、前記被監視者の住居に設置された電子機器の使用電力情報を測定する電力測定装置により測定された前記電子機器の使用電力情報に基づいて、前記被監視者の生体情報を欠測した際の前記電子機器の使用電力量が、前記被監視者の生体情報を欠測する前の前記電子機器の使用電力量から変化しているか否かを判断し、
判断した判断結果に応じて異なるアラーム情報を出力する、
処理を実行させる監視プログラムを記録したことを特徴とする前記コンピュータに読み取り可能な記録媒体。
【符号の説明】
【０２２８】
１０１  監視装置
１０２  生体情報測定装置
１０３  電力測定装置
１０４  クライアント端末
２００  監視システム
２０１  中継装置
２２０  被監視者情報ＤＢ
２３０  生体情報ＤＢ
２４０  使用電力情報ＤＢ
２５０  アラーム通知レベル情報テーブル
１００１  取得部
１００２  検出部
１００３  判断部
１００４  出力部
１６０１  欠測判定部
２００１  異常判定部
【図１】
2014225166.tif 000003
【図２】
2014225166.tif 000004
【図３】
2014225166.tif 000005
【図４】
2014225166.tif 000006
【図５】
2014225166.tif 000007
【図６】
2014225166.tif 000008
【図７】
2014225166.tif 000009
【図８】
2014225166.tif 000010
【図９】
2014225166.tif 000011
【図１０】
2014225166.tif 000012
【図１１】
2014225166.tif 000013
【図１２】
2014225166.tif 000014
【図１３】
2014225166.tif 000015
【図１４】
2014225166.tif 000016
【図１５】
2014225166.tif 000017
【図１６】
2014225166.tif 000018
【図１７】
2014225166.tif 000019
【図１８】
2014225166.tif 000020
【図１９】
2014225166.tif 000021
【図２０】
2014225166.tif 000022
【図２１】
2014225166.tif 000023
【図２２】
2014225166.tif 000024